(57)【要約】本発明の衣類処理装置は、ハウジング内に第１及び第２の洗濯部を含むハウジングを含む。前記第１及び第２の洗濯部は、第１及び第２のタブと、前記第１及び第２のタブの内部に取り付けられた第１及び第２のドラムと、前記第１及び第２のドラムの回転をそれぞれ駆動する第１及び第２の駆動ユニットとを含む。衣類処理装置は、水道水を受容するように構成され、ハウジング内の第１の洗濯部及び第２の洗濯部のそれぞれに水道水の供給を制御するように構成されたバルブアセンブリを含む。衣類処理装置は、バルブアセンブリから水道水を第２の洗濯部内の第２のタブの少なくとも２つの供給地点に供給するように構成された２つ以上の供給ラインをさらに含む。【選択図】図６
2020503123.tif 000002
【特許請求の範囲】
【請求項１】
衣類処理装置であって、
ハウジング；
第１の洗濯部は、第１のタブ、第１のタブの内部に備えられた第１のドラム、及び前記第１のタブの内部の前記第１のドラムの回転を駆動する第１の駆動ユニットを備えた前記ハウジングの内部の第１の洗濯部；
第２の洗濯部は、第２のタブ、第２のタブの内部に備えられた第２のドラム、及び前記第２のタブの内部の前記第２のドラムの回転を駆動する第２の駆動ユニットを備えた前記ハウジングの内部の第２の洗濯部；
水道水を受容するように構成され、前記ハウジングの内部の前記第１の洗濯部及び前記第２の洗濯部のそれぞれに前記水道水の供給を制御するように構成されたバルブアセンブリ；
前記バルブアセンブリから水道水を第２の洗濯部の内部の第２のタブに少なくとも２つの供給地点に供給するように構成された少なくとも２つ以上の供給ラインを備えてなることを特徴とする、衣類処理装置。
【請求項２】
前記少なくとも２つの供給ラインは、
洗剤を含んでなる洗剤水を前記第２のタブ側に供給する洗剤水供給ラインと、
洗剤を含まない水道水を前記第２のタブ側に供給する水道水供給ラインとを備えてなることを特徴とする、請求項１に記載の衣類処理装置。
【請求項３】
前記第２の洗濯部は、トップロードタイプであり、
前記第２のタブは、
洗濯物を投入するように上方向に開放された開口部を備えた上部と、
前記第２の駆動ユニットを固定して、前記第２のドラムと前記第２の駆動ユニットとを連結するように貫通孔を備えた底部と、
前記上部と底部とを円筒形に連結する側壁とを備えてなり、
前記第２のタブの底部直径は、前記側壁の高さよりも大きく形成されたものであることを特徴とする、請求項２に記載の衣類処理装置。
【請求項４】
前記洗剤水供給ラインは、前記第２のタブの側壁を通じて洗剤水を供給し、
前記水道水供給ラインは、前記第２のタブの上部開口部を通じて水道水を供給することを特徴とする、請求項３に記載の衣類処理装置。
【請求項５】
前記少なくとも２つの供給ラインは、前記洗剤水供給ラインと水道水供給ラインとを備えてなり、
前記洗剤水供給ラインは、複数の分岐したラインを備えてなることを特徴とする、請求項１に記載の衣類処理装置。
【請求項６】
前記第２の供給ラインは、洗剤水供給ラインと水道水供給ラインとを備えてなり、
前記洗剤水供給ラインは、洗剤貯留部を経由する洗剤水供給ライン及び補助洗剤貯留部を経由する補助洗剤水ラインを備えてなることを特徴とする、請求項１に記載の衣類処理装置。
【請求項７】
前記少なくとも２つの供給ラインは、洗剤水供給ラインを備えてなり、
前記洗剤水供給ラインは、前記ハウジングと前記第２のタブとの間に位置する洗剤貯留部を経由して、前記洗剤貯留部と前記第２のタブの側壁とを連結する洗剤給水管をさらに備えてなることを特徴とする、請求項１に記載の衣類処理装置。
【請求項８】
前記少なくとも２つの供給ラインは、複数の洗剤水供給ラインを備えてなり；
前記ハウジングと前記第２のタブとの間に位置する洗剤貯留部を通過して、前記洗剤水を前記第２のタブに供給する第１の洗剤水供給ライン；及び
前記ハウジングと前記第２のタブとの間に位置する補助洗剤貯留部を通過して、前記補助洗剤水を前記第２のタブに供給する第２の洗剤水供給ラインを備えてなることを特徴とする、請求項１に記載の衣類処理装置。
【請求項９】
前記少なくとも２つの供給ラインは、
複数の洗剤水供給ラインを備えてなり；
前記ハウジングと前記第２のタブとの間に位置する洗剤貯留部を経由する第１の洗剤水供給ラインと；
前記ハウジングと前記第２のタブとの間に位置する補助洗剤貯留部を経由する第２の洗剤水供給ラインとを備えてなり、
前記少なくとも２つの供給ラインは、
前記洗剤貯留部と前記第２のタブの側壁とを連結する洗剤給水管と、
前記補助洗剤貯留部と前記第２のタブの側壁とを連結する補助洗剤給水管とをさらに備えてなることを特徴とする、請求項１に記載の衣類処理装置。
【請求項１０】
前記少なくとも２つの供給ラインは、複数の洗剤水供給ラインを備えてなり、
前記複数の洗剤水供給ラインは、前記第２のタブの少なくとも２地点以上に分散して連結され、
前記洗剤水供給ライン上にはそれぞれ洗剤貯留部を形成して、
前記洗剤貯留部は、第２のタブの外側において前記ハウジングとの間に位置して、
前記洗剤貯留部と前記第２のタブとの間には洗剤給水管がそれぞれ備えられてなることを特徴とする、請求項１に記載の衣類処理装置。
【請求項１１】
前記洗剤貯留部と前記第２のタブとの間の洗剤給水管には洗剤水供給バルブがさらに備えられてなることを特徴とする、請求項１０に記載の衣類処理装置。
【請求項１２】
前記洗剤水供給バルブは、前記洗剤水が前記第２のタブに向かう一方向の流動を制御するチェックバルブを備えてなることを特徴とする、請求項１１に記載の衣類処理装置。
【請求項１３】
前記洗剤水供給バルブは、電磁バルブとして備えてなり、制御部から少なくとも１つのプロセッサにより、前記バルブアセンブリと共に連動するように制御されてなることを特徴とする、請求項１１に記載の衣類処理装置。
【請求項１４】
前記水道水が供給される間には、前記洗剤水供給バルブがオンとなり、前記洗剤給水管を通じて洗剤水が第２のタブに供給され、
前記水道水の供給が中止となった状態において、洗濯、すすぎ又は脱水行程が進行される場合にはオフとなり、前記洗剤給水管を通じて前記第２のタブ内の洗濯水が前記洗濯、すすぎ又は脱水行程の進行中に前記洗剤給水管を通じて洗剤貯留部に逆流することを防止することを特徴とする、請求項１１に記載の衣類処理装置。
【請求項１５】
前記洗剤給水管は、前記第２のタブの側壁を貫通して、前記第２のタブの内部と連通するように備えられてなり、
前記それぞれの洗剤給水管が前記第２のタブ側壁に互いに異なる位置に連結されることを特徴とする、請求項１０に記載の衣類処理装置。
【請求項１６】
前記複数の洗剤水供給ラインは、前記第２のタブと連結される地点が複数の地点に分散して構成されてなり、
前記第２のタブと連結される各洗剤水供給ラインの位置は、高度差を有して連結されることを特徴とする、請求項１０に記載の衣類処理装置。
【請求項１７】
前記各洗剤給水管は、前記第２のタブの側壁に備えられてなり、
前記各洗剤給水管のうちいずれか１つの位置は、その他の１つの位置に対して相対的に高い位置の側壁と連通されることを特徴とする、請求項１０に記載の衣類処理装置。
【請求項１８】
前記少なくとも２つの供給ラインは、水道水供給ラインと洗剤水供給ラインとを備えてなり、
前記洗剤水供給ラインは、洗剤と繊維柔軟剤を別々に供給するように複数の供給ラインを備えてなることを特徴とする、請求項１に記載の衣類処理装置。
【請求項１９】
前記洗剤水供給ラインは、漂白剤を供給する漂白剤ラインをさらに備えてなることを特徴とする、請求項１８に記載の衣類処理装置。
【請求項２０】
前記洗剤水供給ラインは、洗剤を供給するための洗剤貯留部及び繊維柔軟剤を供給するための補助洗剤貯留部を経由することを特徴とする、請求項１８に記載の衣類処理装置。
【請求項２１】
前記補助洗剤貯留部は、漂白剤を供給する複数の補助洗剤貯留部を備えてなることを特徴とする、請求項２０に記載の衣類処理装置。
【請求項２２】
前記少なくとも２つの供給ラインは、水道水供給ラインと洗剤水供給ラインとを備えてなり、
前記洗剤水供給ラインは、洗剤と繊維柔軟剤を別々に供給する複数の供給ラインと、前記繊維柔軟剤を貯留する補助洗剤貯留部とを備えてなり、
前記洗剤水供給ラインのうち前記補助洗剤貯留部に分岐するラインにおいて、前記補助洗剤貯留部の前端には供給される水道水を遮断する電磁バルブをさらに備えてなることを特徴とする、請求項１に記載の衣類処理装置。
【請求項２３】
前記電磁バルブは、前記バルブアセンブリをオン制御する時間の一部の間だけオン制御して、水道水が前記補助洗剤貯留部を通じて繊維柔軟剤を前記第２のタブに供給することを特徴とする、請求項２２に記載の衣類処理装置。
【請求項２４】
前記電磁バルブがオン制御される間には、前記補助洗剤貯留部と第２のタブの補助洗剤給水管路上の給水バルブもオン制御されることを特徴とする、請求項２３に記載の衣類処理装置。
【請求項２５】
前記補助洗剤給水管路上の給水バルブは、チェックバルブとして備えられてなり、
前記電磁バルブがオン制御される場合、前記給水バルブが流路圧力によって開放され、繊維柔軟剤が前記第２のタブの内側に供給されることを特徴とする、請求項２４に記載の衣類処理装置。
【請求項２６】
前記少なくとも２つの供給ラインは、水道水供給ラインと洗剤水供給ラインとを備えてなり、
前記水道水供給ラインは、前記第２のタブの上部開口部を通じて水道水を供給するように備えられてなることを特徴とする、請求項１に記載の衣類処理装置。
【請求項２７】
前記水道水供給ラインは、前記バルブアセンブリの制御によってオフされるように備えられてなり、
前記水道水供給ラインは、前記バルブアセンブリから前記第２のタブの上部開口部に水道水を供給するように備えられてなり、
前記水道水供給ラインは、前記バルブアセンブリから前記第２のタブの側壁を連結して、洗剤貯留部を経由して洗剤水を供給することを特徴とする、請求項２６に記載の衣類処理装置。
【請求項２８】
前記水道水供給ラインは、前記バルブアセンブリの制御によってオフされるように備えられてなり、
前記水道水供給ラインは、前記バルブアセンブリから前記第２のタブの上部開口部に水道水を供給するように備えられてなり、
前記水道水供給ラインは、前記第２のタブの側壁に連結されるように分岐して、洗剤貯留部を経由して洗剤水を供給することを特徴とする、請求項２６に記載の衣類処理装置。
【請求項２９】
前記少なくとも２つの供給ラインは、水道水供給ラインと複数の洗剤水供給ラインとを備えてなり、
前記水道水供給ラインは、前記第２のタブの上部開口部を通じて水道水を供給し、
前記複数の洗剤水供給ラインは、前記バルブアセンブリと前記水道水供給ラインとの間で分岐して、前記第２のタブの側壁上の複数の地点にそれぞれ連結されて、洗剤及び繊維柔軟剤をそれぞれ供給することを特徴とする、請求項２６に記載の衣類処理装置。
【発明の詳細な説明】
【技術分野】
【０００１】
本発明は、衣類処理装置に関し、より詳細には、ツインウォッシャ（ｔｗｉｎ  ｗａｓｈｅｒ）に関する。
【背景技術】
【０００２】
一般に、衣類処理装置は、洗剤及び機械的摩擦を用いて洗濯物を洗濯する装置である。
【０００３】
一般に、衣類処理装置とは、衣類などの洗濯、乾燥又は洗濯及び乾燥を行うことのできる装置のことをいう。ここで、衣類処理装置は、洗濯や乾燥機能のみを行うか、洗濯と乾燥を両方行うことができる。また、近来、スチーム供給装置が備えられて、衣類などのシワ除去、匂い除去、静電気除去などリフレッシュ（ｒｅｆｒｅｓｈ）機能を備えた洗濯機が補給されている。
【０００４】
衣類処理装置は、衣類の引出し方向に応じて、フロントロード（ｆｒｏｎｔ  ｌｏａｄ）タイプとトップロード（ｔｏｐ  ｌｏａｄ）タイプとに分けられる。また、洗濯が行われる方式に応じて、パルセータや洗濯槽が回転する垂直軸タイプと、ドラムが回転する水平式タイプとがある。
【０００５】
この水平式タイプの代表例として、ドラム洗濯機又はドラム乾燥機がある。以下、フロントロード（ｆｒｏｎｔ  ｌｏａｄ）タイプの衣類処理装置は、開口部が前方に備えられ、ドラムの回転軸が地面に平行するか、所定の傾斜を備えた衣類処理装置と定義して、トップロード（ｔｏｐ  ｌｏａｄ）タイプ衣類処理装置は、開口部が上部に備えられ、ドラムの回転軸が地面に対して垂直に備えられた衣類処理装置と定義する。
【０００６】
一般に、各家庭では、１台の大容量の衣類処理装置を使用する。そして、洗濯物の種類別に区分して洗濯したい場合、衣類処理装置を数回使用することになる。例えば、成人用衣類のような洗濯物と、下着やベビーウェアなどのような洗濯物とを区分して洗濯したい場合、前者の洗濯を終了した後、後者の洗濯のために再び衣類処理装置を使用することになる。
【発明の概要】
【発明が解決しようとする課題】
【０００７】
よって、本発明は、従来技術の限界及び欠点に起因する１つ以上の問題点を実質的に解消する洗濯物処理装置を提供するものである。
【０００８】
本発明は、少量の洗濯物又は下着やベビーウェアのように一般洗濯物とは分離して洗濯する必要のある洗濯物と、大量の一般洗濯物とを１台の洗濯機において分離して洗濯可能な衣類処理装置、即ち、ツインウォッシュ装置を提供することを目的とする。
【０００９】
本発明の別の目的は、上述した問題点を解決するために着目されたものであって、下部にフロントロードタイプの洗濯装置を備え、上部にフロントロードタイプの洗濯装置よりも相対的に容量の小さいトップロードタイプの洗濯装置を備えることで、ユーザが様々な種類の洗濯物を選択的に洗濯／乾燥可能な衣類処理装置を提供することにその目的がある。
【００１０】
本発明のまた別の目的は、洗濯物を分離して洗濯が可能な衣類処理装置であって、特に、洗濯機の上部に相対的に容量の小さいトップロードタイプの第２の洗濯装置の洗濯時間が短縮できる衣類処理装置を提供することである。
【００１１】
本発明のまた別の目的は、トップロードタイプの第２の洗濯装置を有する衣類処理装置において、洗剤供給を可能にして、ユーザの便利性を高めて、洗濯性能が図られる衣類処理装置を提供することである。
【００１２】
本発明のまた別の目的は、トップロードタイプの第２の洗濯装置を備えて、分離洗濯が可能な衣類処理装置において、特に、第２の洗濯装置のタブの直径がタブの高さよりも相対的に大きい場合、洗濯時に生じ得る洗濯水の逆流を防止することのできる衣類処理装置を提供することである。
【００１３】
本発明のまた別の目的は、トップロードタイプの第２の洗濯装置を備えて、分離洗濯が可能な衣類処理装置において、水道水及び洗剤水を円滑に供給することができ、タブ内に供給された洗濯水がタブ外側に逆流したり噴出したりしないように、水道水及び洗剤水の供給を制御可能な衣類処理装置を提供することである。
【００１４】
本発明から得られる技術課題は、前述した技術課題によって制限されない。また、本発明が属する技術分野において通常の知識を有する者による以下の説明より、言及されない他の技術的課題が明確に理解されるであろう。
【００１５】
本発明のさらなる利点、目的及び特徴は、添付する図面のみならず、本明細書の開示内容に記載される。また、この態様は、本明細書の記載に基づき、当業者によって理解されるであろう。
【課題を解決するための手段】
【００１６】
本発明の一実施例によれば、ハウジングと；第１の洗濯部は、第１のタブ、第１のタブの内部に備えられる第１のドラム、及び前記第１のタブの内部の前記第１のドラムの回転を駆動する第１の駆動ユニットを含む前記ハウジングの内部の第１の洗濯部；第２の洗濯部は、第２のタブ、第２のタブの内部に備えられる第２のドラム、及び前記第２のタブの内部の前記第２のドラムの回転を駆動する第２の駆動ユニットを含む前記ハウジングの内部の第２の洗濯部；水道水を受容するように構成され、前記ハウジングの内部の前記第１の洗濯部及び前記第２の洗濯部のそれぞれに前記水道水の供給を制御するように構成されたバルブアセンブリ；前記バルブアセンブリから水道水を第２の洗濯部の内部の第２のタブに少なくとも２つの供給地点に供給するように構成された少なくとも２つ以上の供給ラインを含むことができる。
【００１７】
一実施例として、前記少なくとも２つの供給ラインは、洗剤を含む洗剤水を前記第２のタブ側に供給する洗剤水供給ラインと、洗剤を含まない水道水を前記第２のタブ側に供給する水道水供給ラインとを含むことができる。
【００１８】
一実施例として、前記第２の洗濯部は、トップロードタイプとして備えられ、前記第２のタブは、洗濯物を投入するように上方向に開放された開口部を含む上部と、前記第２の駆動ユニットを固定して、前記第２のドラムと前記第２の駆動ユニットとを連結するように貫通孔を備える底部と、前記上部と底部とを円筒形に連結する側壁とを備えることができる。前記第２のタブの底部直径は、前記側壁の高さよりも大きく形成されることができる。
【００１９】
一実施例として、前記洗剤水供給ラインは、前記第２のタブの側壁を通じて洗剤水を供給することができ、前記水道水供給ラインは、前記第２のタブの上部開口部を通じて供給されるように備えられることができる。
【００２０】
一実施例として、前記少なくとも２つの供給ラインは、洗剤水供給ラインと水道水供給ラインとを含むことができ、前記洗剤水供給ラインは、複数の分岐したラインからなることができる。
【００２１】
一実施例として、前記第２の供給ラインは、洗剤水供給ラインと水道水供給ラインとを含むことができ、前記洗剤水供給ラインは、洗剤貯留部を経由する洗剤水供給ライン及び補助洗剤貯留部を経由する補助洗剤水ラインを含むことができる。
【００２２】
一実施例として、前記少なくとも２つの供給ラインは、洗剤水供給ラインを含むことができ、前記洗剤水供給ラインは、前記ハウジングと前記第２のタブとの間に位置する洗剤貯留部を経由して、前記洗剤貯留部と前記第２のタブの側壁とを連結する洗剤給水管をさらに含むことができる。
【００２３】
一実施例として、前記少なくとも２つの供給ラインは、複数の洗剤水供給ラインを含むことができ、前記ハウジングと前記第２のタブとの間に位置する洗剤貯留部を通過して、前記洗剤水を前記第２のタブに供給する第１の洗剤水供給ラインと、前記ハウジングと前記第２のタブとの間に位置する補助洗剤貯留部を通過して、前記補助洗剤水を前記第２のタブに供給する第２の洗剤水供給ラインとを備えることができる。
【００２４】
一実施例として、前記少なくとも２つの供給ラインは、複数の洗剤水供給ラインを含むことができ、前記ハウジングと前記第２のタブとの間に位置する洗剤貯留部を経由する第１の洗剤水供給ラインと；前記ハウジングと前記第２のタブとの間に位置する補助洗剤貯留部を経由する第２の洗剤水供給ラインとを含むことができる。前記少なくとも２つの供給ラインは、前記洗剤貯留部と前記第２のタブの側壁とを連結する洗剤給水管と、前記補助洗剤貯留部と前記第２のタブの側壁とを連結する補助洗剤給水管とをさらに含むことができる。
【００２５】
一実施例として、前記少なくとも２つの供給ラインは、複数の洗剤水供給ラインを含むことができ、前記複数の洗剤水供給ラインは、前記第２のタブの少なくとも２地点以上に分散して連結され、前記洗剤水供給ライン上にはそれぞれ洗剤貯留部を形成することができ、前記洗剤貯留部は、第２のタブの外側において前記ハウジングとの間に位置することができ、前記洗剤貯留部と前記第２のタブとの間には洗剤給水管がそれぞれ備えられることができる。
【００２６】
一実施例として、前記洗剤貯留部と前記第２のタブとの間の洗剤給水管には洗剤水供給バルブがさらに備えられることができる。
【００２７】
一実施例として、前記洗剤水供給バルブは、前記洗剤水が前記第２のタブに向かう一方向の流動を制御するチェックバルブを備えることができる。
【００２８】
一実施例として、前記洗剤水供給バルブは、電磁バルブとして備えられることができ、制御部から少なくとも１つのプロセッサにより、前記バルブアセンブリと共に連動するように制御されることができる。
【００２９】
一実施例として、前記水道水が供給される間には、前記洗剤水供給バルブがオンとなり、前記洗剤給水管を通じて洗剤水が第２のタブに供給されることができ、前記水道水の供給が中止となった状態において、洗濯、すすぎ又は脱水行程が進行される場合にはオフとなり、前記洗剤給水管を通じて前記第２のタブ内の洗濯水が前記洗濯、すすぎ又は脱水行程の進行中に前記洗剤給水管を通じて洗剤貯留部に逆流することを防止することができる。
【００３０】
一実施例として、前記洗剤給水管は、前記第２のタブの側壁を貫通して、前記第２のタブの内部と連通するように備えられることができ、前記それぞれの洗剤給水管が前記第２のタブ側壁に互いに異なる位置に連結されることができる。
【００３１】
一実施例として、前記複数の洗剤水供給ラインは、前記第２のタブと連結される地点が複数の地点に分散して構成され、前記第２のタブと連結される各洗剤水供給ラインの位置は、高度差を有して連結されることを特徴とする衣類処理装置。
【００３２】
一実施例として、前記各洗剤給水管は、前記第２のタブの側壁に備えられることができる。前記各洗剤給水管のうちいずれか１つの位置は、その他の１つの位置に対して相対的に高い位置の側壁と連通されることができる。
【００３３】
一実施例として、前記少なくとも２つの供給ラインは、水道水供給ラインと洗剤水供給ラインとを含むことができる。前記洗剤水供給ラインは、洗剤と繊維柔軟剤を別々に供給するように複数の供給ラインを含むことができる。
【００３４】
一実施例として、前記洗剤水供給ラインは、漂白剤を供給する漂白剤ラインをさらに含むことができる。
【００３５】
一実施例として、前記洗剤水供給ラインは、洗剤を供給するための洗剤貯留部及び繊維柔軟剤を供給するための補助洗剤貯留部を経由することができる。
【００３６】
一実施例として、前記補助洗剤貯留部は、漂白剤を供給する複数の補助洗剤貯留部を備えることができる。
【００３７】
一実施例として、前記少なくとも２つの供給ラインは、水道水供給ラインと洗剤水供給ラインとを含むことができる。前記洗剤水供給ラインは、洗剤と繊維柔軟剤を別々に供給する複数の供給ラインと、前記繊維柔軟剤を貯留する補助洗剤貯留部とを備え、前記洗剤水供給ラインのうち前記補助洗剤貯留部に分岐するラインにおいて、前記補助洗剤貯留部の前端には供給される水道水を遮断する電磁バルブをさらに含むことができる。
【００３８】
一実施例として、前記電磁バルブは、前記バルブアセンブリをオン制御する時間の一部の間だけオン制御して、水道水が前記補助洗剤貯留部を通じて繊維柔軟剤を前記第２のタブに供給することができる。
【００３９】
一実施例として、前記電磁バルブがオン制御される間には、前記補助洗剤貯留部と第２のタブの補助洗剤給水管路上の給水バルブもオン制御されることを特徴とする衣類処理装置。
【００４０】
一実施例として、前記補助洗剤給水管路上の給水バルブは、チェックバルブとして備えられることができる。前記電磁バルブがオン制御される場合、前記給水バルブが流路圧力によって開放され、繊維柔軟剤が前記第２のタブの内側に供給されることができる。
【００４１】
一実施例として、前記少なくとも２つの供給ラインは、水道水供給ラインと洗剤水供給ラインとを含むことができる。前記水道水供給ラインは、前記第２のタブの上部開口部を通じて水道水を供給するように備えられることができる。
【００４２】
一実施例として、前記水道水供給ラインは、前記バルブアセンブリの制御によってオフされるように備えられることができる。前記水道水供給ラインは、前記バルブアセンブリから前記第２のタブの上部開口部に水道水を供給するように備えられることができる。前記水道水供給ラインは、前記バルブアセンブリから前記第２のタブの側壁を連結して、洗剤貯留部を経由して洗剤水を供給することができる。
【００４３】
一実施例として、前記水道水供給ラインは、前記バルブアセンブリの制御によってオフされるように備えられることができる。前記水道水供給ラインは、前記バルブアセンブリから前記第２のタブの上部開口部に水道水を供給するように備えられることができる。前記水道水供給ラインは、前記第２のタブの側壁に連結されるように分岐して、洗剤貯留部を経由して洗剤水を供給することができる。
【００４４】
一実施例として、前記少なくとも２つの供給ラインは、水道水供給ラインと複数の洗剤水供給ラインとを含むことができる。前記水道水供給ラインは、前記第２のタブの上部の開口部を通じて水道水を供給することができる。前記複数の洗剤水供給ラインは、前記バルブアセンブリと前記水道水供給ラインとの間で分岐して、前記第２のタブの側壁上の複数の地点にそれぞれ連結されて、洗剤及び繊維柔軟剤をそれぞれ供給することができる。
【００４５】
本開示内容の適用範囲は、以後の詳細な説明によって明白になる。しかし、本開示の思想及び範囲内における様々な変更及び変形が当業者に明白になるため、詳細な説明及び特定例は、本開示の好ましい具現例を示すが、ただの例示によって与えられることを理解しなければならない。
【発明の効果】
【００４６】
よって、本発明の実施例は、様々な効果及び／又は特徴を提供することができる。
【００４７】
本発明による衣類処理装置によれば、少量の洗濯物又は下着やベビーウェアのような一般洗濯物とは分離して洗濯する必要がある洗濯物と、大量の一般洗濯物とを１台の洗濯機において分離して選択することが可能な衣類処理装置、即ち、ツインウォッシュ装置を提供することができるという効果がある。
【００４８】
また、本発明による衣類処理装置によれば、下部にフロントロードタイプの洗濯装置を備え、上部にフロントロードタイプの洗濯装置よりも相対的に容量の小さいトップロードタイプの洗濯装置を備えることで、ユーザが様々な種類の選択物を選択的に洗濯／乾燥することができるという効果がある。
【００４９】
また、本発明による衣類処理装置によれば、洗濯物を分離して洗濯が可能な衣類処理装置において、特に、洗濯機の上部に相対的に容量の小さいトップロードタイプの第２の洗濯装置の洗濯時間を短縮することができるという効果がある。
【００５０】
また、本発明による衣類処理装置によれば、トップロードタイプの第２の洗濯装置を有する衣類処理装置において、洗剤供給を可能にして、ユーザの便宜性を高め、洗濯性能が図れるという効果がある。
【００５１】
また、本発明による衣類処理装置によれば、トップロードタイプの第２の洗濯装置を備え、分離洗濯が可能な衣類処理装置において、特に、前記第２の洗濯装置のタブの直径がタブの高さよりも相対的に大きい場合、洗濯時に生じ得る洗濯水の逆流を防止することができるという効果がある。
【００５２】
また、本発明による衣類処理装置によれば、トップロードタイプの第２の洗濯装置を備え、分離洗濯が可能な衣類処理装置において、水道水及び洗剤水を円滑に供給することができ、タブ内に供給された洗濯水がタブの外側に逆流又は噴出しないように、水道水及び洗剤水の供給を制御することができるという効果がある。
【００５３】
本発明から得られる効果は、上述した効果によって制限されない。また、本発明が属する技術分野において通常の知識を有する者による以下の説明から明白に言及されない他の効果として理解されるのである。
【図面の簡単な説明】
【００５４】
本発明は、以下の詳細な説明及び例示され提供する図面によってより詳細に理解されるものであり、よって本発明を制限するものではない。
【図１】本発明による衣類処理装置を示す図である。
【図２】本発明による衣類処理装置の結合状態を示す図である。
【図３】本発明による衣類処理装置の内部構造を簡単に示す正断面図である。
【図４】本発明による衣類処理装置の内部構造を簡単に示す側断面図である。
【図５】本発明による衣類処理装置において第２の洗濯部を示す図である。
【図６】本発明による衣類処理装置において第２の洗濯部の開放状態を示す図である。
【図７】本発明による衣類処理装置において第２の洗濯部の各実施例による内部構造を示す平面図である。
【図８】本発明による衣類処理装置において第２の洗濯部の各実施例による内部構造を示す平面図である。
【図９】本発明による衣類処理装置において第２の洗濯部の各実施例による内部構造を示す平面図である。
【図１０】本発明による衣類処理装置において第２の洗濯部の各実施例による内部構造を示す平面図である。
【図１１】本発明による衣類処理装置において第２の洗濯部の各実施例による内部構造を示す平面図である。
【図１２】本発明による衣類処理装置において第２の洗濯部の作動による各バルブの作動を示す表である。
【発明を実施するための形態】
【００５５】
上述した目的を達成するための本発明の一実施例は、ハウジングと、前記ハウジングの内部に第１のタブ、第１のドラム、及び第１の駆動ユニットを有する第１の洗濯部と；前記ハウジングの内部に第２のタブ、第２のドラム、及び第２の駆動ユニットを有する第２の洗濯部と；前記ハウジングと外部において連結され、水道水を供給する外部供給ラインと；前記外部供給ラインを前記ハウジングの内部の第１の、第２の洗濯部への水道水供給を制御するバルブアセンブリと；前記バルブアセンブリにおいて前記第２の洗濯部に水道水を供給する第２の供給ラインとを含み、前記第２の供給ラインは、前記第２のタブの複数の地点に洗濯水を分散供給できるようにし、水道水供給ラインと洗剤水供給ラインとを含む。
【００５６】
本発明の一実施例は、前記第２の供給ラインは、洗剤を含む洗剤水を前記第２のタブ側に供給する洗剤水供給ラインと、洗剤を含まない水道水を前記第２のタブ側に供給する水道水供給ラインとを含む。
【００５７】
本発明の一実施例は、前記第２の洗濯部は、トップロードタイプで、第２のタブは、洗濯物が投入できるように上方向に開放された開口部を含む上部と、前記第２の駆動ユニットを固定して、前記第２のドラムと前記第２の駆動ユニットとを連結するように貫通孔を備える底部と、前記上部と底部とを円筒形に連結する側壁とを備え；前記第２のタブの底部の直径は、前記側壁の高さよりも大きく形成され；前記洗剤水供給ラインは、前記第２のタブの側壁を通じて洗剤水を供給して、前記水道水供給ラインは、前記第２のタブの上部開口部を通じて供給するように構成される。
【００５８】
本発明のまた別の一実施例によれば、前記第２の洗濯部に洗濯水を供給する第２の供給ラインは、複数に分岐して第２のタブの複数地点に連結され、洗剤水供給ラインと水道水供給ラインとを含む。
【００５９】
上述した実施例によれば、水道水供給ラインは、前記バルブアセンブリが形成されるハウジング側から前記第２のタブの上部側に延びて、前記第２のタブの上部を通じて水道水を供給する。
【００６０】
上述した実施例によれば、前記第２の供給ラインの前記洗剤水供給ラインは、洗剤貯留部を経由して前記第２のタブの側壁に連結される。このとき、前記洗剤水供給ラインは、前記第２のタブと前記ハウジングとの間に前記洗剤貯留部と前記第２のタブの側壁とを連結する洗剤給水管を含む。
【００６１】
前記洗剤給水管は、ゴム材質のベローズ状に形成される。
【００６２】
上述した実施例によれば、前記洗剤給水管は、前記バルブアセンブリが形成されているハウジング側から反対位置の第２のタブの側面に連結される。
【００６３】
前記洗剤給水管は、前記水道水供給ラインの延長線上の前記第２のタブの側面に位置する。
【００６４】
本発明のまた別の実施例として、前記洗剤給水管は、前記水道水供給ラインの延長線から外れた領域において、前記ハウジングと前記第２のタブとの間に位置する。
【００６５】
前記洗剤給水管は、前記第２のタブの高さ方向に対して、前記第２のタブの中央よりも上部に位置する。
【００６６】
本発明のまた別の実施例は、前記第２の洗濯部に洗濯水を供給する第２の供給ラインは、水道水供給ラインと洗剤水供給ラインとを含み、前記洗剤水供給ラインは、複数の分岐したラインからなる。
【００６７】
上述した実施例によれば、前記第２の洗濯部の前記第２のタブは、円筒状の側壁を有して、上部には開口が形成され、前記第２の駆動ユニットが固定される底部を含み、前記底部の直径が前記側壁の高さよりも大きく形成される。
【００６８】
本発明の一実施例によれば、前記第２の供給ラインは、洗剤水供給ラインと水道水供給ラインとを含み、前記洗剤水供給ラインは、洗剤貯留部を経由するラインと、補助洗剤貯留部を経由するラインとを含む。
【００６９】
本発明のまた別の実施例によれば、前記第２の供給ラインは、洗剤水供給ラインを含み；前記洗剤水供給ラインは、前記ハウジングと前記第２のタブとの間に形成された洗剤貯留部を経由して、前記洗剤貯留部と前記第２のタブの側壁とを連結する洗剤給水管を含む。
【００７０】
本発明のまた別の実施例によれば、前記第２の供給ラインは、複数の洗剤水供給ラインを含み；前記複数の洗剤水供給ラインのうち１つは、前記ハウジングと前記第２のタブとの間に形成された洗剤貯留部を経由して、また別の洗剤水供給ラインは、前記ハウジングと前記第２のタブとの間に形成された補助洗剤貯留部を経由して、前記第２のタブ内に洗剤水をそれぞれ供給する。
【００７１】
本発明のまた別の実施例によれば、前記第２の供給ラインは、複数の洗剤水供給ラインを含み；前記複数の洗剤水供給ラインのうち１つは、前記ハウジングと前記第２のタブとの間に形成された洗剤貯留部を経由して、また別の洗剤水供給ラインは、前記ハウジングと前記第２のタブとの間に形成された補助洗剤貯留部を経由して、前記洗剤貯留部と前記第２のタブの側壁とを連結する洗剤給水管と、前記補助洗剤貯留部と前記第２のタブの側壁とを連結する補助洗剤給水管とを含む。
【００７２】
本発明のまた別の実施例によれば、前記第２の供給ラインは、複数の洗剤水供給ラインを含み、前記複数の洗剤水供給ラインは、前記第２のタブの複数の地点に分散して連結され、前記洗剤水供給ライン上には、それぞれ洗剤貯留部を形成して、前記洗剤貯留部は、第２のタブの外側において前記ハウジングとの間に位置するように構成して、前記洗剤貯留部と前記第２のタブとの間には洗剤給水管をそれぞれ含む。
【００７３】
前記洗剤貯留部と前記第２のタブとの間の洗剤給水管には洗剤水供給バルブを設ける。
【００７４】
前記洗剤水供給バルブは、前記第２のタブ側の方向のみに流動できるようにチェックバルブからなる。
【００７５】
前記洗剤水供給バルブは、電磁バルブからなり、制御部から前記バルブアセンブリと共に連動するように制御される。
【００７６】
前記洗剤水供給バルブは、水道水が供給される間にはオンとなり、前記洗剤給水管を通じて洗剤水が第２のタブに供給されるように制御されるが、給水が中止となった状態において、洗濯、すすぎ又は脱水の運転中にはオフとなり、前記洗剤給水管を通じて前記第２のタブ内の洗濯水が前記運転中に前記洗剤給水管を通じて洗剤貯留部側に逆流しないように制御される。
【００７７】
前記複数の洗剤給水管は、前記第２のタブの側壁を貫通して、前記第２のタブの内部と連通するように構成され、前記複数の洗剤給水管が前記第２のタブの側壁と連結される地点は互いに異なる。
【００７８】
上述した実施例によれば、前記複数の洗剤給水管は、前記バルブアセンブリが形成されるハウジング側から反対位置の第２のタブの側壁に連結される。
【００７９】
前記複数の洗剤給水管は、前記第２のタブの上部に位置した前記水道水供給ラインの延長線上の第２のタブの側壁、又は前記延長線に隣接する側壁の位置に形成される。
【００８０】
ここで、前記複数の洗剤給水管は、前記第２のタブの高さ方向に対して同一位置であるか、又は重畳領域が存在するように形成される。
【００８１】
本発明の別の実施例として、前記複数の洗剤給水管は、前記水道水供給ラインの延長線から外れた前記第２のタブと前記ハウジングとの間の角部に位置する。
【００８２】
ここで、前記洗剤給水管は、前記ハウジングの前方に対して左側と右側の前記第２のタブと前記ハウジングとの間の角部にそれぞれ位置する。
【００８３】
前記洗剤供給管は、第２のタブの高さ方向に対して同一位置に形成される。
【００８４】
前記複数の洗剤水供給ラインが前記第２のタブと連結される地点は、複数の地点に分散して構成され、前記第２のタブと連結される各洗剤水供給ラインの位置は、高度差を有するように構成される。
【００８５】
前記複数の洗剤給水管は、前記第２のタブの側壁に連通するように構成され、いずれか１つの位置は、その他の１つの位置に対して相対的に高い位置の側壁と連通する。
【００８６】
前記複数の洗剤給水管のうちいずれか１つは、前記第２のタブの側壁上端に位置して、その他の１つは、それより下方に位置する。
【００８７】
前記洗剤給水管のうち下方に位置する洗剤給水管は、前記第２のタブの高さ方向に対して中央又はその下方に位置する。
【００８８】
前記洗剤給水管のうち、最上部にある洗剤給水管は、前記第２のタブの高さ方向に対して、中央よりも上部に位置して、その他はそれより下方に配置される。
【００８９】
前記洗剤給水管のうち、最上部にある洗剤給水管は、前記第２のタブの高さ方向に対して、中央部分に位置して、その他はそれより下方に配置される。
【００９０】
本発明のまた別の実施例によれば、前記第２の供給ラインは、水道水供給ラインと洗剤水供給ラインとを含み、前記洗剤水供給ラインは、洗剤及び繊維柔軟剤がそれぞれ供給できるように複数の供給ラインを備える。
【００９１】
前記洗剤水供給ラインは、前記洗剤及び繊維柔軟剤の他に、漂白剤のように洗剤及び繊維柔軟剤とは異なる機能を果たす物質を供給するラインをさらに含む。
【００９２】
前記洗剤水供給ラインは、洗剤を供給するための洗剤貯留部を経由するように構成して、繊維柔軟剤を供給するための補助洗剤貯留部を経由するように構成する。
【００９３】
前記補助洗剤貯留部は、漂白剤のように繊維柔軟剤とは異なる機能を果たす物質が供給できるように複数の補助洗剤貯留部からなる。
【００９４】
本発明のまた別の実施例によれば、前記第２の供給ラインは、水道水供給ラインと洗剤水供給ラインとを含み、前記洗剤水供給ラインは、洗剤及び繊維柔軟剤をそれぞれ供給できるように複数の供給ラインからなり、前記繊維柔軟剤を貯留する補助洗剤貯留部を備え、前記洗剤水供給ラインのうち、前記補助洗剤貯留部に分岐するライン上において、前記補助洗剤貯留部の前端には、供給される水道水を遮断する電磁バルブをさらに含む。
【００９５】
前記補助洗剤貯留部への水道水供給を遮断する電磁バルブは、前記バルブアセンブリをオン制御する時間の一部の間だけオン制御して、水道水が前記補助洗剤貯留部を通じて繊維柔軟剤を前記第２のタブ内に供給できるように制御される。
【００９６】
前記補助洗剤貯留部の前端の電磁バルブをオン制御する間には、前記補助洗剤貯留部と第２のタブの補助洗剤給水管路上の給水バルブもオン制御される。
【００９７】
前記補助洗剤給水管路上の給水バルブは、チェックバルブからなり、前記補助洗剤貯留部の前端の電磁バルブがオン制御される場合、流路圧力によって開放され、繊維柔軟剤が前記第２のタブの内側に供給される。
【００９８】
本発明のまた別の実施例によれば、前記第２の供給ラインは、水道水供給ラインと洗剤水供給ラインとを含み、前記水道水供給ラインは、前記第２のタブの上部開口部を通じて供給されるように構成される。
【００９９】
前記第２の供給ラインは、前記バルブアセンブリの制御によって、流路が遮断されるように制御され、前記バルブアセンブリから前記第２のタブの上部開口側に水道水を供給する水道水供給ラインと；前記バルブアセンブリから前記第２のタブの側壁を連結し、洗剤貯留部を経由して洗剤水を供給する洗剤水供給ラインとを含む。
【０１００】
前記第２の供給ラインは、前記バルブアセンブリの制御によって流路が遮断されるように制御され、前記バルブアセンブリから前記第２のタブの上部開口側に水道水を供給する水道水供給ラインと；前記バルブアセンブリと前記水道水供給ラインとの間で分岐して、前記第２のタブの側壁を連結し、洗剤貯留部を経由して洗剤水を供給する洗剤水供給ラインとを含む。
【０１０１】
前記洗剤水供給ラインは、前記バルブアセンブリと前記水道水供給ラインとの間で複数に分岐して、前記第２のタブの側壁の複数の地点にそれぞれ連結して、洗剤と繊維柔軟剤とを分離供給できるように構成される。
【０１０２】
本発明のまた別の実施例によれば、本発明は、ハウジングと；前記ハウジングの内部に第１のタブ、第１のドラム、及び第１の駆動ユニットを有する第１の洗濯部と；前記ハウジングの内部に第２のタブ、第２のドラム、及び第２の駆動ユニットを有する第２の洗濯部と；前記ハウジングと外部において連結され、水道水を供給する外部供給ラインと；前記外部供給ラインを前記ハウジングの内部の第１の、第２の洗濯部への水道水供給を制御するバルブアセンブリと；前記バルブアセンブリにおいて前記第２の洗濯部に水道水を供給する第２の供給ラインと；前記バルブアセンブリにおいて前記第１の洗濯部に水道水を供給する第１の供給ラインとを含み、前記第２の供給ラインは、前記第２のタブの複数地点に洗濯水を分散供給できるようにして、水道水供給ラインと洗剤水供給ラインとを含み；前記第２の洗濯部は、前記第１の洗濯部の上部に位置して、前記第２のタブは、開口を含む上部と、前記第２の駆動ユニットを支持する底部と、前記上部と底部とを円筒形に連結する側壁とからなり；前記ハウジングと前記第２のタブとの間には、洗剤貯留部を形成して、前記洗剤水供給ライン上に位置するようにして、前記洗剤貯留部と前記第２のタブの側壁とを連結する洗剤供給管を備え；前記第２のタブの上部には、前記開口を開閉するタブカバーを含むタブケースを備え；前記ハウジングの上部には、ハウジング開口が形成され、前記タブケースを通じて前記第２のタブと連通するようにして、前記ハウジングの上部には、前記ハウジング開口を開閉するハウジングカバーを含む。
【０１０３】
上述した実施例によれば、前記タブケースは、前記タブカバーをヒンジ支持するヒンジ部を有する本体部を含む。
【０１０４】
前記ハウジングカバーに対向（ｆａｃｉｎｇ）する前記タブケースの本体部の上端には、前記第２の供給管の水道水供給ラインが連結される。
【０１０５】
前記タブケースの本体部の上端には開口が形成され、前記第２の供給管の水道水供給ラインが貫通して、前記第２のタブの内側と連通する。
【０１０６】
前記タブケースの本体部は、上部本体部と下部本体部との二重構造からなり、前記第２の供給管の水道水供給ラインは、前記上部本体部に形成された開口を通じて前記上部本体部と下部本体部との間に水道水を供給するように構成される。
【０１０７】
前記タブケースの下部本体部は、前記第２のタブの内側に対向（ｆａｃｉｎｇ）して、複数の経口を形成して、前記上部本体部を貫通して供給される水道水が、前記開口を通じて前記第２のタブの内側に供給される。
【０１０８】
前記下部本体部の開口は、複数の列に配列され、前記供給される水道水が前記第２のタブの上部開口を通じて広く供給されるように構成する。
【０１０９】
前記洗剤貯留部は、ハウジングの前方の左側又は右側に位置する。
【０１１０】
前記洗剤貯留部は、前記ハウジングの前方の左側及び右側にそれぞれ複数位置して、左側又は右側のいずれか一方には洗剤を貯留して、他方には繊維柔軟剤を貯留する。
【０１１１】
前記第２の供給ラインの洗剤水供給ライン上において、前記洗剤貯留部と前記第２のタブの側壁との間を連通する洗剤供給管は、前記洗剤貯留部に対応して、前記洗剤貯留部の数に応じて複数に構成される。
【０１１２】
前記複数の洗剤供給管は、前記第２のタブの側壁の互いに異なる高さを有するように連結される。
【０１１３】
前記第１の供給ラインは、前記ハウジングと前記第２のタブとの間に第１のタブに供給される第１の洗濯部用の洗剤貯留部をさらに含む。
【０１１４】
前記第１の供給ラインは、前記第１の洗濯部用の洗剤貯留部と前記第１のタブとを連通する第１の洗濯部用の洗剤供給管をさらに含む。
【０１１５】
前記第２の供給ラインの洗剤水供給ラインと連通する洗剤貯留部と、前記第１の供給ラインと連通する第１の洗濯部用の洗剤貯留部は、前記ハウジングと前記タブとの間に位置して、前記ハウジングの上部前方に位置するように構成される。
【０１１６】
前記第１の洗濯部用の洗剤貯留部は、前記ハウジングの前方において左側と右側との間に複数の洗剤投入口が配列される。
【０１１７】
前記衣類処理装置は、前記ハウジングの上部前方に形成された第１の洗濯部用の洗剤貯留部を開閉する洗剤カバーをさらに含み、前記洗剤カバーの前方は、前記ハウジングの前方に沿って対応して、前記洗剤カバーの後方は、前記タブケースの一側の終端と隣接して配置される。
【０１１８】
前記第２のタブ内に洗剤を供給するための洗剤供給部は、前記第１の洗濯部用の洗剤貯留部に隣接して配置され、前記ハウジングと前記第２のタブとの間のハウジングの角部に位置するように構成される。
【０１１９】
前記衣類処理装置は、前記洗剤供給管路上に供給バルブをさらに含む。
【０１２０】
前記衣類処理装置は、前記第２のタブと前記洗剤貯留部との間において、前記第２の供給ラインの洗剤水供給ラインを成す洗剤供給管路上に供給バルブを含み、前記第１の供給ラインの第１の洗濯部用の洗剤貯留部と前記第１のタブとの間には特に供給バルブを構成しない。
【０１２１】
前記供給バルブは、第２のタブの方向のみに流動が可能なチェックバルブであるか、オンオフ制御が可能な電磁バルブである。
【０１２２】
前記電磁バルブは、前記第２のタブ内への水道水を供給及び供給を遮断するようにする前記バルブアセンブリ制御と連動するように制御することを特徴とする。即ち、前記バルブアセンブリをオン（開放）すると、前記電磁バルブもオン（開放）制御する。
【０１２３】
上述した目的を達成するための本発明の一実施例による衣類処理装置は、第１の洗濯部と、前記第１の洗濯部の上部に位置する第２の洗濯部と、前記第１の洗濯部及び前記第２の洗濯部を支持するフレームと、前記フレームと締結され、前記第１の洗濯部の外側面を形成する外側パネルと、前記フレームの上部に着座して、前記第２の洗濯部の外形を形成するタブケースと、前記フレームの前面に締結され、前記第２の洗濯部及び前記第１の洗濯部の前面を形成するフロントパネルとを備える。
【０１２４】
前記第１の洗濯部は、フロントロードタイプの洗濯装置であり、前記第２の洗濯部は、トップロードタイプの洗濯装置である。
【０１２５】
前記第１の洗濯部は、前記フロントパネルの前方から洗濯物が投入されるタブ投入口が形成されるタブと、前記タブ投入口に対応して、前記フロントパネルの前方から洗濯物が投入されるドラム投入口が形成されるドラムを備える。
【０１２６】
前記第２の洗濯部は、前記タブケースの上方から洗濯物が投入されるタブ投入口が形成されるタブと、前記タブ投入口に対応して、前記タブケースの上方から洗濯物が投入されるドラム投入口が形成されるドラムを備える。
【０１２７】
前記フレームは、前記第１の洗濯部を支持して、前記外側パネルが締結される下部フレームと、前記下部フレームの上部に締結され、前記第２の洗濯部を支持して、前記タブケースが着座されて締結される上部フレームを備える。
【０１２８】
前記下部フレームは、前記外側パネルに締結される少なくとも２つ以上の下部垂直フレームと、前記下部垂直フレームの上部を連結すると共に、前記外側パネルの上部に締結される下部水平フレームとを備える。
【０１２９】
前記上部フレームは、前記下部水平フレームの上部に締結される少なくとも２つ以上の上部垂直フレームと、前記上部垂直フレームの上部を連結すると共に、前記タブケースを支持する上部水平フレームとを備える。
【０１３０】
前記第１の洗濯部は、前記下部フレームに支持され、前記第２の洗濯部は、前記上部フレームに支持される。
【０１３１】
前記タブケースは、上面に、前記第２の洗濯部に洗濯物を投入するための投入口及び前記第２の洗濯部に洗剤類を供給するための洗剤投入口が備えられる。
【０１３２】
前記タブケースは、前記投入口を遮蔽するためのドア及び前記洗剤投入口を遮蔽するための洗剤投入ドアを備える。
【０１３３】
前記タブケースは、前記投入口及び前記洗剤投入口を同時に遮蔽するドアを備える。
【０１３４】
前記タブケースは、前記第２の洗濯部及び前記第１の洗濯部を制御する制御部が露出されるサービス孔及びサービス孔に着脱されるサービスカバーを備える。
【０１３５】
前記タブケースの後方には、前記第２の洗濯部及び前記第１の洗濯部を制御する制御部が露出されるサービス孔及び前記サービス孔に着脱自在に備えられ、前記サービス孔を開閉するサービスカバーを備える。
【０１３６】
前記タブケースは、前方の一側に洗剤が投入される洗剤投入部と、前記洗剤投入部に投入される洗剤が一時貯留される洗剤貯留部と、前記洗剤貯留部に貯留された洗剤が第２の洗濯部にガイドされる流路を形成する洗剤給水管と、前記洗剤給水管を開放して、前記洗剤を供給する投入バルブとを備える洗剤供給部を備える。
【０１３７】
前記第２の洗濯部は、前記洗濯水を供給する給水部を備え、前記給水部は、前記洗剤貯留部に洗濯水を供給して、前記洗剤貯留部に貯留された洗剤は、前記洗濯水と混合されて、前記洗剤水供給バルブによって前記第２の洗濯部に供給される。
【０１３８】
前記洗剤水供給バルブは、前記第２の洗濯部に供給された洗濯水が前記洗剤貯留部に逆流しないように、前記洗剤給水管を閉鎖する状態を維持する。
【０１３９】
前記タブケースは、前方の他側に補助洗剤が投入される補助洗剤投入部と、前記補助洗剤投入部に投入される補助洗剤が一時貯留される補助洗剤貯留部と、前記補助洗剤貯留部に貯留された補助洗剤が第２の洗濯部にガイドされる流路を形成する補助洗剤給水管と、前記補助洗剤給水管を開放して、前記補助洗剤を供給する補助洗剤水供給バルブとを備える補助洗剤供給部を備える。
【０１４０】
前記補助洗剤貯留部は、前記洗剤貯留部と連結される連結管を備え、前記補助洗剤貯留部に貯留された前記補助洗剤は、前記連結管を通じて前記洗剤貯留部から供給される洗濯水と混合されて、前記補助洗剤水供給バルブによって前記第２の洗濯部に供給される。
【０１４１】
前記タブケースの後方には、前記給水部が露出されるサービス孔及び前記サービス孔に着脱自在に備えられ、前記サービス孔を開閉するサービスカバーを備える。
【０１４２】
上述した目的を達成するための本発明の一実施例による衣類処理装置は、第１のタブ及び第１のドラムを備える第１の洗濯部と、前記第１の洗濯部の上部に位置して、第２のタブ及び第２のドラムを備える第２の洗濯部と、前記第２の洗濯部に備えられ、前記第１のタブ及び前記第２のタブに洗濯水を供給する給水部と、前記給水部から供給される洗濯水によって、前記第２のタブに洗剤及び補助洗剤を供給する洗剤供給部とを備え、前記洗剤供給部は、前記第２のタブの前方の一側に備えられる洗剤投入部と、前記洗剤投入部に投入される洗剤が一時貯留される洗剤貯留部と、前記洗剤貯留部に貯留された洗剤が前記第２のタブにガイドされる流路を形成する洗剤給水管と、前記洗剤給水管を開放して、前記洗剤を供給する洗剤水供給バルブとを備え、前記給水部は、前記第２のタブの後方の一側に備えられ、前記洗濯水の供給を制御するバルブアセンブリと、前記バルブアセンブリによって供給される前記洗濯水を前記洗剤貯留部にガイドする給水管とを備えることが好ましい。前記第２のタブの他側に前記洗剤供給部から供給される洗濯水によって、前記第２のタブに補助洗剤を供給する補助洗剤供給部がさらに備えられる。
【０１４３】
前記補助洗剤供給部は、前記第２のタブの前方の他側に備えられる補助洗剤投入部と、前記補助洗剤投入部に投入される補助洗剤が一時貯留される補助洗剤貯留部と、前記洗剤貯留部に供給される洗濯水が前記補助洗剤貯留部にガイドされる連結管と、前記補助洗剤貯留部に貯留された補助洗剤が前記第２のタブにガイドされる流路を形成する補助洗剤給水管と、前記補助洗剤給水管を開放して、前記補助洗剤を供給する補助洗剤水供給バルブとを備える。
【０１４４】
前記第２のタブの他側に、前記給水部から供給される洗濯水によって前記第２のタブに補助洗剤を供給する補助洗剤供給部がさらに備えられる。
【０１４５】
前記給水部は、前記補助洗剤供給部に洗濯水を供給する補助洗剤給水管をさらに備え、前記補助洗剤供給部は、前記第２のタブの前方の他側に備えられる補助洗剤投入部と、前記補助洗剤投入部に投入される補助洗剤が一時貯留され、前記補助洗剤給水管が連結される補助洗剤貯留部と、前記補助洗剤貯留部に貯留された補助洗剤が前記第２のタブにガイドされる流路を形成する補助洗剤給水管と、前記補助洗剤給水管を開放して、前記補助洗剤を供給する補助洗剤水供給バルブとを備える。
【０１４６】
前記給水部は、前記第２のタブに洗濯水を給水する第２の水道水供給ラインをさらに備える。
【０１４７】
前記給水管は、前記第２のタブに洗濯水を供給する第２の水道水供給ライン及び前記給水管から分岐して、前記洗剤供給部に洗濯水をガイドする洗剤部給水管をさらに備える。
【０１４８】
前記第２のタブの他側に、前記第２のタブに補助洗剤を供給する補助洗剤供給部がさらに備えられ、前記給水管は、前記給水管から分岐して、前記補助洗剤供給部に洗濯水をガイドする補助洗剤部給水管をさらに備える。
【０１４９】
前記給水管は、前記第２の水道水供給ライン、前記洗剤部給水管、前記補助洗剤部給水管の流路制御のための第１のバルブアセンブリをさらに備える。
【０１５０】
前記補助洗剤供給部は、前記第２のタブの前方の他側に備えられる補助洗剤投入部と、前記補助洗剤投入部に投入される補助洗剤が一時貯留され、前記補助洗剤部給水管が連結される補助洗剤貯留部と、前記補助洗剤貯留部に貯留された補助洗剤が前記第２のタブにガイドされる流路を形成する補助洗剤給水管と、前記補助洗剤給水管を開放して、前記補助洗剤を供給する補助洗剤水供給バルブとを備える。
【０１５１】
前記補助洗剤部給水管は、前記補助洗剤貯留部に供給される洗濯水を制御するための補助洗剤給水バルブをさらに備えた方が好ましい。
【０１５２】
前記第１の洗濯部は、前記第１のタブに洗剤及び補助洗剤を供給する第１の洗剤供給部を備え、前記バルブアセンブリは、前記第１の洗剤供給部に洗濯水を供給する第１の供給ラインをさらに備える。
【０１５３】
図１は、本発明による衣類処理装置を示す斜視図であり、図２は、本発明による衣類処理装置の結合状態を示す分解斜視図であり、図３は、本発明による衣類処理装置の内部構造を示す断面図である。
【０１５４】
図１乃至図３に示したように、本発明による衣類処理装置１０は、下部に前面から開閉される第１のドア２４２が備えられ、前方から洗濯物が投入及び引出しされる第１の洗濯部３０と、第１の洗濯部３０の上部に位置して、上方から洗濯物が投入及び引出しされる第２の洗濯部４０が備えられる。
【０１５５】
第２の洗濯部４０及び第１の洗濯部３０は、それぞれ別の空間を形成するタブケース及び下部ハウジングによってそれぞれ独立して支持されてもよく、内部に上部及び下部の少なくとも２つの空間以上を形成する１つのハウジング２０内に一体として形成されてもよい。
【０１５６】
一実施例では、第２の洗濯部４０及び第１の洗濯部３０を洗濯装置として限定して説明した。他の実施例では、第２の洗濯部４０又は第１の洗濯部３０が乾燥機能をさらに含んでもよい。特定の実施例では、第２の洗濯部４０又は第１の洗濯部３０が乾燥装置に置き換えられてもよい。
【０１５７】
一実施例では、１つのハウジング２０は、内部に上部及び下部の２つの空間からなる単一ハウジング２０を備えてもよい。他の実施例では、衣類処理装置１０がフロントロードタイプの第１の洗濯部３０及びトップロードタイプの第２の洗濯部４０を備えてもよい。
【０１５８】
一方、本発明による衣類処理装置１０は、基台２１０と、基台２１０の上部に備えられ、第１の洗濯部３０及び第２の洗濯部４０を支持する多数の単位フレームの結合で形成されるフレーム２２０と、フレーム２２０の前面を形成するフロントパネル２４０と、フレーム２２０の下部の外側を形成すると共に、第１の洗濯部３０の外形を形成する外側パネル２３０と、フレーム２２０の上部を形成すると共に、第２の洗濯部４０の外形を形成するタブケース２５０とを備える。
【０１５９】
フレーム２２０は、基台２１０の上部に着座して、第１の洗濯部３０及び第２の洗濯部４０の各構成部を支持するためのものである。このフレーム２２０は、第１の洗濯部３０を支持するための第１、第２の下部垂直フレーム２２１，２２２と、第１、第２の下部垂直フレーム２２１，２２２を連結する第１、第２の下部水平フレーム２２３，２２４と、第２の洗濯部４０を支持するための第１、第２の上部垂直フレーム２２５，２２６と、第１、第２の上部垂直フレーム２２５，２２６を連結する第１、第２の上部水平フレーム２２７，２２８とを備える。
【０１６０】
第１、第２の下部垂直フレーム２２１，２２２は、基台２１０の一側及び他側にそれぞれ１対として備えられ、第１、第２の下部水平フレーム２２３，２２４は、１対の第１、第２の下部垂直フレーム２２１，２２２の上部を連結して、第１、第２の下部垂直フレームの強度を補強することができる。
【０１６１】
また、第１、第２の下部垂直フレーム２２１，２２２は、外側パネル２３０の各角部に締結され、外側パネル２３０と共に第１の洗濯部３０を支持するように形成される。また、第１、第２の下部水平フレーム２２３，２２４の場合、第１、第２の下部垂直フレーム２２１，２２２に連結されると共に、外側パネル２３０の両側の上端に固定され、外側パネル２３０と共に第１の洗濯部３０を支持するように形成されてもよい。
【０１６２】
第１、第２の上部垂直フレーム２２５，２２６は、第１、第２の下部水平フレーム２２３，２２４の上部の一側及び他側にそれぞれ１対として備えられる。第１、第２の上部垂直フレーム２２５，２２６は、第１、第２の下部水平フレーム２２３，２２４の上部に結合して備えられる。第１、第２の上部垂直フレーム２２５，２２６は、第１、第２の下部垂直フレーム２２１，２２２の延長線上において、第１、第２の下部水平フレーム２２３，２２４に結合される。
【０１６３】
第１、第２の上部垂直フレーム２２５，２２６の上端には、後述する第２の洗濯部４０の第２のタブ支持部４２０が掛けられる第１、第２のブラケット２２５ａ，２２６ａが形成される。第１、第２のブラケット２２５ａ，２２６ａには、第２のタブ支持部４２０を掛けるために、第１、第２の支持孔（未図示）が形成される。第１、第２のブラケット２２５ａ，２２６ａ及び第１、第２の支持孔２２５ｂ，２２６ｂについては、第２の洗濯部４０を説明するときに、詳細に説明する。
【０１６４】
第１、第２の上部水平フレーム２２７，２２８は、第１、第２の上部垂直フレーム２２５，２２６の上側に結合され、第１、第２の上部垂直フレーム２２５，２２６の強度を補強して、第２の洗濯部４０が支持されるようにする。
【０１６５】
第１、第２の下部垂直フレーム２２１，２２２の前方には、第１、第２の下部垂直フレーム２２１，２２２を連結して、第１、第２の下部垂直フレーム２２１，２２２の締結の強度を補強すると共に、フロントパネル２４０を固定するための前方フレーム２２９が備えられる。
【０１６６】
ここで、前方フレーム２２９は、第１、第２の下部垂直フレーム２２１，２２２及び第１、第２の上部垂直フレーム２２５，２２６の前面にわたって形成されるか、第１、第２の下部垂直フレーム２２１，２２２の前面のみに形成される。
【０１６７】
また、第１、第２の下部垂直フレーム２２１、２２２に形成される場合、後述するフロントパネル２４０に形成される第１の投入口２４１を除いて、一部又は全面にわたって形成される。本発明では、前方フレーム２２９がフロントパネル２４０の第１の投入口２４１を回避して、第１、第２の下部垂直フレームの上部に位置することを一例として説明する。
【０１６８】
外側パネル２３０は、第１、第２の下部垂直フレーム２２１，２２２の外側面の前方を除いて囲むように形成される。この外側パネル２３０は、第１の洗濯部３０の左側面を形成する左側面２３１、第１の洗濯部の右側面を形成する右側面２３２、第１の洗濯部の後面を形成する後面２３３から形成される。外側パネル２３０の左側面２３１、右側面２３２の上端には、第１、第２の下部水平フレーム２２３，２２４が結合される。
【０１６９】
ここで、左側面２３１及び右側面２３２の前方及び左側面２３１、右側面２３２、後面２３３により形成される後方角部には、１対の第１、第２の下部垂直フレーム２２１，２２２がそれぞれ締結される。外側パネル２３０及び第１、第２の下部垂直フレーム２２１，２２２の締結によって、第１、第２の下部垂直フレーム２２１，２２２の支持強度が補強される。
【０１７０】
外側パネル２３０の後面には、第１の洗濯部３０のメインテナンスのための下部サービス孔２３４が形成される。下部サービス孔２３４には、下部サービス孔２３４を開閉するためのサービスパネル２３５がさらに備えられる。サービスパネル２３５は、下部サービス孔２３４にボルトなどの締結体（ｆａｓｔｅｎｅｒ）によって着脱自在に結合される。
【０１７１】
フロントパネル２４０は、フレーム２２０の前方に締結され、第２の洗濯部４０及び第１の洗濯部３０の前面を形成することができる。このフロントパネル２４０は、第１の洗濯部３０に洗濯物を投入するための第１の投入口２４１が形成され、第１の投入口２４１には、第１の投入口２４１を開閉するための第１のドア２４２が備えられる。ここで、第１のドア２４２は、第１の投入口２４１の一側に別途のヒンジ（未図示）によって結合され、ヒンジを軸として回動して、第１の投入口２４１を開閉することができる。また、第１のドア２４２には、第１の洗濯部３０の作動状態を確認するための透明材質の透光窓（未図示）をさらに備える。
【０１７２】
フロントパネル２４０の上側には、第１の洗濯部３０及び第２の洗濯部４０を制御するためのコントロールパネル２４３が備えられる。コントロールパネル２４３は、各洗濯部３０，４０に制御命令を入力する入力部（未図示）、ユーザが選択可能な制御命令の表示及びユーザが選択した制御命令の実行情報が表示される表示部（未図示）が備えられる。
【０１７３】
コントロールパネル２４３に備えられた入力部及び表示部は、制御部５０に備えられるＰＣＢ（ｐｒｉｎｔｅｄ  ｃｉｒｃｕｉｔ  ｂｏａｒｄ）を通じて電気的に連結される。ここで、制御部５０は、前方フレーム２２９に固定されるか、後述する第２の洗濯部４０の内部に備えられてもよい。第２の洗濯部４０に制御部５０が備えられることについては、第２の洗濯部４０を説明するときに詳細に説明する。
【０１７４】
タブケース２５０は、衣類処理装置１０の上部形状を形成すると共に、第２の洗濯部４０の外形を形成する。一方、タブケース２５０については、第２の洗濯部４０及び第１の洗濯部３０の構成を説明した後、詳細に説明する。
【０１７５】
本発明の衣類処理装置１０の場合、内部的には、第１の洗濯部３０と第２の洗濯部４０とに区分され、外形的には、衣類処理装置１０の前面を形成するフロントパネル２４０と、第１の洗濯部３０の外形を形成する外側パネル２３０と、第２の洗濯部４０を形成するタブケース２５０とに区分される。
【０１７６】
図３乃至図４を参照すると、第１の洗濯部３０は、外部給水源から供給される水道水及び水道水と洗剤が混合された洗濯水が貯留される第１のタブ３１０と、第１のタブ３１０を基台２１０及び第１、第２の下部水平フレーム２２３，２２４に対して緩衝可能に支持する第１のタブ支持部３２０と、第１のタブ３１０の内部に回転自在に備えられ、回転するにつれて洗濯物を洗濯、すすぎ、脱水する第１のドラム３３０と、第１のタブ３１０の後方に備えられ、第１のドラム３３０を回転させる第１の駆動ユニット３４０と、第１のタブ３１０に洗濯水を供給する第１の給水部３５０と、第１のタブ３１０の洗濯水を排水する第１の排水部３６０とを備える。
【０１７７】
第１のタブ３１０は、ハウジング２０のフロントパネル２４０に形成される第１の投入口に対応する位置に、第１のタブ３１０の前方方向に第１のタブ投入口３１１が形成される円筒状に形成される。
【０１７８】
ここで、第１のタブ投入口３１１と第１の投入口２４１との間には、第１のタブ投入口３１１と第１の投入口２４１との間をシールする第１のタブシール部３１２が備えられる。この第１のタブ３１０は、比較的に水平方向の回転軸を有する円筒状に形成され、第１のタブ３１０の後方には、第１のドラム３３０を回転させるための第１の駆動ユニット３４０が固定される。
【０１７９】
第１のタブ支持部３２０は、第１の下部水平フレーム２２３及び第２の下部水平フレーム２２４に対して、第１のタブ３１０が掛けられるように、第１の下部水平フレーム２２３に掛けられ、第１のタブ３１０の一側を支持する第１のばね３２１と、第２の下部水平フレーム２２４に掛けられ、第１のタブ３１０の他側を支持する第２のばね３２２と、ハウジング２０の基台２１０に設けられ、第１のタブ３１０の振動を緩衝するダンパ３２３とを備える。
【０１８０】
第１のドラム３３０は、第１のタブ３１０の内側に回転自在に設けられ、第１のタブ３１０の第１のタブ投入口３１１に延びる位置に、第１のドラム投入口３３１が形成される円筒状に形成される。
【０１８１】
ここで、第１のドラム３３０の内周面には、第１のドラム３３０の洗濯水が第１のタブ３１０に流動するように、多数の第１の貫通孔３３２が形成され、第１のドラム３３０の後方には、第１のタブ３１０の後方を貫通して支持される第１の回転軸３３３を備える。第１の回転軸３３３は、第１のタブ３１０の後方に備えられる第１の駆動ユニット３４０に連結される。
【０１８２】
第１の駆動ユニット３４０は、第１のタブ３１０の後方に固定される第１のステータ３４１と、第１の回転軸３３３に連結され、第１のステータ３４１によって回転される第１のロータ３４２とを備える。
【０１８３】
第１の給水部は、第１のタブ３１０の上部に備えられ、第１のタブ３１０に洗濯水を供給する。  第１の給水部３５０は、外部の洗濯水供給源に連結される第１の供給ライン３５１と、第１の供給ライン３５１による洗濯水供給を制御する第１の給水バルブ３５２とを備える。
【０１８４】
第１の供給ライン３５１と第１のタブ３１０との間には、洗剤又は補助洗剤（例えば、繊維柔軟剤、漂白剤など）を第１の供給ライン３５１から供給される洗濯水と混合して、第１のタブ３１０に供給する第１の洗剤供給部３７０（図１２を参照）をさらに備えてもよい。
【０１８５】
第１の排水部３６０は、第１のタブ３１０の下部に備えられ、第１のタブ３１０の洗濯水を排水する。第１の排水部３６０は、第１のタブ３１０の下部に連結され、洗濯水を排水する第１の排水ポンプ３６２と、第１の排水ポンプ３６２の吐出側に連結される第１の排水管３６１とを備える。
【０１８６】
第２の洗濯部４０は、外部給水源から供給される水道水及び水道水と洗剤が混合された洗濯水が貯留される第２のタブ４１０と、第２のタブ４１０を第１、第２の上部水平フレーム２２７，２２８に対して緩衝可能に支持する第２のタブ支持部４２０と、第２のタブ４１０の内部に回転自在に備えられ、回転するにつれて洗濯物を洗濯、すすぎ、脱水する第２のドラム４３０と、第２のタブ４１０の後方に備えられ、第２のドラム４３０を回転させる第２の駆動ユニット４４０と、第２のタブ４１０に洗濯水を供給する第２の給水部４５０と、第２のタブ４１０の洗濯水を排水する第２の排水部４６０と、第２の給水部から供給される水道水と洗剤又は補助洗剤（例えば、繊維柔軟剤、漂白剤など）を混合して、第２のタブ４１０に供給する第２の洗剤供給部４７０，４７０ａ，４７０ｂ，４７０ｃ，４７０ｄとを備える。
【０１８７】
第２のタブ４１０は、タブケース２５０の傾斜面２５１に形成される第２の投入口２５３に対応する方向に上側が開放される。この第２のタブ４１０は、比較的に垂直方向の回転軸を有する円筒状に形成され、第２のタブ４１０の下部中心には、第２のドラム４３０を回転させるための第２の駆動ユニット４４０が固定される。
【０１８８】
一実施例としては、第２のタブ４１０は、洗濯物が投入できるように上方向に開放された開口部を含む上部と、第２の駆動ユニット４４０が固定され、第２のドラム４３０と第２の駆動ユニット４４０とを連結するように貫通孔を備える底部と、上部と底部を円筒状に連結する側壁とを備え、第２のタブ４１０の底部直径は、側壁の高さよりも大きく形成され、後述する第２の洗剤水供給ライン４５１ａ，４５１ｂ，４５１ｃ，４５１ｄによって第２のタブ４１０の側壁を通じて洗剤水を供給して、水道水供給ラインによって第２のタブ４１０の上部開口部を通じて水道水を供給する。
【０１８９】
第２のタブ４１０の上側開放部は、第２のタブ４１０の上部を閉鎖する第２のタブ上面４１１を備える。第２のタブ上面４１１は、第２のタブ４１０に洗濯物を投入及び引出しするための第２のタブ投入口４１２が形成される。第２のタブ投入口４１２には、第２のタブ投入口４１２を開閉するためのタブドア４１３が備えられる。他の一実施例としては、タブドア４１３は、第２のタブ投入口４１２にヒンジ結合されて回動自在に備えられる。
【０１９０】
第２のタブ投入口４１２の内周面には、タブドア４１３が第２のタブ投入口４１２を閉鎖するとき、第２のタブ投入口４１２とタブドア４１３との間をシールする第２のタブシール部４１４がさらに備えられる。また、タブドア４１３には、第２の洗濯部４０の作動状態を確認するための透明材質の透光窓をさらに備えてもよい。
【０１９１】
第２のタブ上面４１１及びタブドア４１３は、第２のタブ４１０の開放部を閉鎖して、第２のドラム４３０が回転するとき、第２のタブ４１０に受容された洗濯物又は洗濯水が第２のタブ４１０の外部へ流出されることを防止する。
【０１９２】
第２のタブ４１０の外周面には、第２のタブ支持部４２０に掛けられるための多数のタブブラケット４１５が形成されてもよい。各タブブラケット４１５は、第２のタブ４１０の外周面と第１、第２の上部垂直フレーム２２５，２２６によって形成される空間の角部との間の第２のタブ４１０の外周面に形成される。各タブブラケット４１５には、第２のタブ支持部４２０が挿入されるタブ支持孔４１６が形成される。
【０１９３】
第２のタブ支持部４２０は、第１、第２の上部垂直フレーム２２５，２２６の上端に備えられる第１、第２のブラケット２２５ａ，２２６ａと第２のタブ４１０の外周面に形成されるタブブラケット４１５との間に備えられ、前記第２のタブ４１０が振り子運動するように、第２のタブ４１０を浮遊状態で支持するためのものである。
【０１９４】
第２のタブ支持部４２０は、上部に第１、第２のブラケット２２５ａ，２２６ａの第１、第２の支持孔２２５ｂ，２２６ｂに掛けられる上部ストッパー４２２と、タブブラケット４１５のタブ支持孔４１６が掛けられる下部ストッパー４２３と、上部ストッパー４２２と下部ストッパー４２３とを所定間隔に維持する支持バー４２１とを含む。
【０１９５】
一実施例として、第２のタブ支持部４２０には、第２のタブ４１０の振動を緩衝するために、タブブラケット４１５と下部ストッパー４２３との間に別途のばね４２４が挿入されてもよい。
【０１９６】
第２のドラム４３０は、第２のタブ４１０の内側に回転自在に設けられ、第２のタブ４１０の  第２のタブ投入口４１２に延びる位置に第２のドラム投入口４３１が形成される円筒状に形成される。
【０１９７】
第２のドラム４３０の内周面には、第２のドラム４３０の洗濯水が第２のタブ４１０に流動するように、多数の第２の貫通孔４３２が形成される。第２のドラム４３０の下部には、第２のタブ４１０の下部を貫通して支持される第２の回転軸４３３を備える。第２の回転軸４３３は、第２のタブ４１０の下部に備えられる第２の駆動ユニット４４０に連結される。
【０１９８】
第２の駆動ユニット４４０は、第２のタブ４１０の下部に固定される第２のステータ４４１と、第２の回転軸４３３に連結され、第２のステータ４４１によって回転される第２のロータ４４２とを備える。
【０１９９】
第２の給水部４５０は、第２のタブ４１０の後方の一側に備えられ、第２のタブ４１０に水道水及び洗濯水を供給する。第２の給水部４５０は、外部の水道水供給源に連結され、第２の供給ライン４５１と第１の供給ライン３５１による洗濯水供給を制御する第２のバルブアセンブリ４５２を備える。
【０２００】
一実施例として、第２のバルブアセンブリ４５２の場合、供給される洗濯水の種類（例えば、温水、冷水など）及び洗濯水を供給する対象（例えば、第１のタブ３１０、第１の洗剤供給部３７０、第２のタブ４１０、第２の洗剤供給部４７０，４７０ａ，４７０ｂ，４７０ｃ，４７０ｄなど）によって複数のバルブとして備えられてもよい。他の実施例として、洗濯水の種類（例えば、温水、冷水など）及び洗濯水を供給する対象（例えば、第１のタブ３１０、第１の洗剤供給部３７０、第２のタブ４１０、第２の洗剤供給部４７０，４７０ａ，４７０ｂ，４７０ｃ，４７０ｄなど）に供給する複数の第２の供給ライン４５１を備えてもよい。一実施例として、第２の給水部４５０の第２のバルブアセンブリ４５２の場合、第２のタブ４１０の後方の一側に形成されると共に、タブケース２５０の後方に形成されるサービスカバー２５７の下部に位置することができる。
【０２０１】
タブケース２５０のサービスカバー２５７を開放して、第２の給水部４５０及び第２のバルブアセンブリ４５２のメインテナンスを行うことができる。
【０２０２】
第２の洗剤供給部４７０，４７０ａ，４７０ｂ，４７０ｃ，４７０ｄは、第２の供給ライン４５１と第２のタブ４１０との間に位置して、洗剤又は補助洗剤を第２の供給ライン４５１から供給される水道水と混合して、第２のタブ４１０に供給することができる。
【０２０３】
第２の排水部４６０は、第２のタブ４１０の下部に備えられ、第２のタブ４１０の洗濯水を排水する。第２の排水部４６０は、第２のタブ４１０の下部に連結され、洗濯水を排水する第２の排水ポンプ４６２と、第２の排水ポンプ４６２の吐出側に連結される第２の排水管４６１とを備える。
【０２０４】
図５は、本発明による衣類処理装置において、第２の洗濯部を示す図であり、図６は、本発明の衣類処理装置において、第２の洗濯部の開放状態を示す図である。
【０２０５】
図５乃至図６に示したように、タブケース２５０は、下面が開放される函体状に形成される。タブケース２５０の上面には、傾斜面２５１及び後方平面２５５が形成される。
【０２０６】
ここで、傾斜面２５１は、タブケース２５０の後方から前方に移動するほど下向するように斜めに形成される。後方平面２５５は、傾斜面２５１の後方から延びる平面状に形成される。
【０２０７】
タブケース２５０の傾斜面２５１及び後方平面２５５の外郭には、第１の洗濯部３０側に下向する外側面２５８が形成される。外側面２５８は、第２の洗濯部４０の外郭形状を形成する。
【０２０８】
一実施例として、タブケース２５０の傾斜面２５１、後方平面２５５、外側面２５８の場合、それぞれ別の板材として形成され、組み立てられてもよい。他の実施例として、タブケース２５０の傾斜面２５１、後方平面２５５、外側面２５８は、合成樹脂材質で射出成形によって一体として形成されてもよい。
【０２０９】
傾斜面２５１の中央部には、第２の洗濯部４０に洗濯物を投入及び引出しするためのタブカバー２５２が備えられ、傾斜面２５１の前方（即ち、タブカバー２５２の前方）には、第２の洗濯部４０に洗剤及び補助洗剤を投入するための洗剤投入ドア２５４が備えられる。ここで、タブケースには、タブカバーと、洗剤投入ドアが回転自在に結合されるヒンジ部とが備えられる。
【０２１０】
一実施例として、タブケース２５０の後方上端には、外部水道水供給ラインが連結されてもよく、外部水道水供給ラインは、タブケース２５０の内部に備えられる第２のバルブアセンブリ４５２，４５２ａ，４５２ｂ，４５２ｃ，４５１２ｄに連結される。
【０２１１】
一実施例として、洗剤投入ドア２５４の下側には、第２の洗剤供給部４７０，４７０ａ，４７０ｂ，４７０ｃ，４７０ｄが位置してもよい。即ち、洗剤投入ドア２５４の開放によって、第２の洗剤供給部７０，４７０ａ，４７０ｂ，４７０ｃ，４７０ｄが露出するように備えられる。他の実施例として、第２の洗剤供給部４７０，４７０ａ，４７０ｂ，４７０ｃ，４７０ｄは、タブケース２５０に形成されるタブカバー２５２の下部に位置して、タブカバー２５２の開放によって露出するように備えられる。
【０２１２】
タブカバー２５２の下部には、第２の洗濯部４０に洗濯物が投入及び引出しされる第２の投入口２５３が形成される。第２の投入口２５３は、第２の洗濯部４０に備えられるタブドア４１３よりも大きく形成された方が好ましい。
【０２１３】
タブカバー２５２及び洗剤投入ドア２５４は、タブケース２５０に形成される傾斜面上に形成され、ユーザの便宜を図るために、洗剤投入ドア２５４をタブカバー２５２の前方に位置させる。
【０２１４】
即ち、洗濯物の場合は比較的に重さが軽く、洗剤又は補助洗剤の場合は洗濯物に比べて相対的に重いため、洗剤投入ドア２５４をタブカバー２５２の前方に位置させた方が、ユーザの便宜性の観点から好ましい。
【０２１５】
タブケース２５０の後方平面２５５には、第２の洗濯部４０のメインテナンスのために、第２の洗濯部４０の後方を開放する上部サービス孔２５６が形成される。上部サービス孔２５６には、上部サービス孔２５６を開閉するサービスカバー２５７が備えられる。サービスカバー２５７は、別途のボルトなどの締結体によって上部サービス孔２５６に着脱自在に備えられる。一方、タブケース２５０の後方の内側には、後述する第２の洗濯部４０の第２の給水部４５０，４５０ａ，４５０ｂ，４５０ｃ，４５０ｄと、第２の洗濯部４０及び第１の洗濯部３０を制御するための制御部５０とが備えられる。
【０２１６】
よって、サービスカバー２５７を開放するにつれて、上部サービス孔２５６が開放され、第２の洗濯部４０及び第１の洗濯部３０のメインテナンスを行うことができる。
【０２１７】
一実施例として、タブケース２５０は、射出成形によって一体として形成されてもよい。特定の実施例では、上部本体部及び下部本体部からなり、第２の給水部４５０，４５０ａ，４５０ｂ，４５０ｃ，４５０ｄ及び第２の洗剤水供給ライン４５１，４５１ａ，４５１ｂ，４５１ｃ，４５１ｄは、タブケース２５０の内側から第２のバルブアセンブリ４５２，４５２ａ，４５２ｂ，４５２ｃ，４５２ｄに延長される。
【０２１８】
図７乃至図１１は、本発明による第２の洗剤供給部を示す。図７を参照して、本発明による衣類処理装置において、第２の洗濯部の第１の実施例を詳細に説明する。
【０２１９】
図７に示したように、本発明の第１の実施例による第２の洗剤供給部４７０は、第２のタブ４１０の前方の両側において選択的に位置することができる。第２の洗剤供給部４７０は、液状洗剤、粉末洗剤、繊維柔軟剤、補助洗剤などが選択的に投入されるように備えられる。
【０２２０】
ここで、第２の洗剤供給部４７０は、第２のタブ４１０の前方の一側に洗濯物の洗濯のための液状洗剤又は粉末洗剤が投入される洗剤投入口４７１と、第２のタブ４１０の前方の他側に洗濯物の洗濯時に補助的な役割を果たす繊維柔軟剤、漂白剤などの補助洗剤が投入される補助洗剤投入口４７５とを備える。
【０２２１】
洗剤投入口４７１の下部には、投入される液状洗剤又は粉末洗剤が一時貯留される洗剤貯留部４７２が備えられる。洗剤貯留部４７２には第２のバルブアセンブリ４５２から延びる第２の供給ライン４５１が連結される。洗剤貯留部４７２に投入された液状洗剤又は粉末洗剤は、第２の供給ライン４５１から供給される洗濯水と混合されて、第２のタブ４１０に供給される。
【０２２２】
一方、本発明の第１の実施例の場合、第２の供給ライン４５１を通じて第２のタブ４１０に供給するための水道水及び洗剤貯留部に貯留された洗剤を供給するための洗濯水が供給される。
【０２２３】
一実施例として、第２の供給ライン４５１から供給される水道水は、洗剤貯留部４７２に洗剤が貯留されていない場合、第２のタブ４１０に供給される水道水となり得る。また、第２の供給ライン４５１から供給される水道水は、洗剤が洗剤貯留部４７２に貯留されている場合、洗剤を溶解させる洗濯水の役割を果たす。即ち、第２の供給ライン４５１は、水道水及び洗濯水を洗剤貯留部４７２を経由して第２のタブに供給することができる。
【０２２４】
洗剤貯留部４７２の下部には、洗剤貯留部４７２において混合された洗剤及び洗濯水が第２のタブ４１０に供給される洗剤給水管４７４が備えられる。洗剤給水管４７４には、洗剤貯留部４７２において混合された洗剤及び洗濯水の供給を制御する洗剤水供給バルブ４７３が備えられる。
【０２２５】
一実施例として、洗剤給水管４７４は複数備えられてもよい。洗剤給水管４７４の他に補助洗剤を供給するための補助洗剤給水管４７８をさらに備えてもよい。
【０２２６】
ここで、洗剤給水管４７４及び補助洗剤給水管４７８は、第２のタブ４１０の側壁のそれぞれ異なる位置に連結され、洗剤給水管４７４に比べて補助洗剤給水管４７８が相対的に低い位置に第２のタブ４１０の側壁に連結される。一実施例として、洗剤給水管４７４及び補助洗剤給水管４７８は、側壁に連結されるときに重畳領域を有することができる。
【０２２７】
一実施例として、洗剤給水管４７４及び補助洗剤給水管４７８は、第２の洗濯部４０を中心として対称する形態又は互いに反対方向に位置及び延長されてもよい。
【０２２８】
この洗剤給水管４７４及び補助洗剤給水管４７８の延長方向及び設置位置は、第２のタブ４１０とタブケース２５０との間の空間を確保できるか否かによって選択的に形成されることができる。また、洗剤給水管４７４及び補助洗剤給水管４７８の第２のタブ４１０の側壁連結において、洗剤給水管４７４及び補助洗剤給水管４７８の設置の自由度を増加させることができる。
【０２２９】
洗剤給水管４７４は、第２のドラム４３０が回転する時、第２のタブ４１０に振動が伝達されることを防止するように、ベローズ状に形成されてもよい。洗剤水供給バルブ４７３は、洗剤給水管４７４と洗剤貯留部４７２との間に備えられ、洗剤貯留部４７２の洗剤及び洗濯水の供給制御と共に、第２のタブ４１０の洗濯水が洗剤貯留部４７２に逆流することを防止することができる。
【０２３０】
第２のタブ４１０の場合、第２のタブ４１０の内側において回転する第２のドラム４３０の遠心力によって、第２のタブ４１０に連結される洗剤給水管４７４を通じて洗剤貯留部４７２へ洗濯水が逆流することが発生する可能性がある。一実施例として、洗剤水供給バルブ４７３は、第２のドラム４３０が回転する時、洗剤給水管４７４を閉鎖して、第２のタブ４１０の洗濯水が遠心力によって洗剤給水管４７４を通じて逆流することを防止することができる。
【０２３１】
一実施例として、洗剤水供給バルブ４７３は、第２のタブ４１０の洗濯水が逆流することを防止するためのチェックバルブとして備えられてもよい。他の実施例として、制御部５０の制御によって洗剤給水管４７４を開閉する電磁バルブとして備えられてもよい。
【０２３２】
補助洗剤投入口４７５の下部には、投入される繊維柔軟剤、漂白剤などの補助洗剤が一時貯留される補助洗剤貯留部４７６が備えられてもよい。補助洗剤貯留部４７６は、第２のバルブアセンブリ４５２から延びる第２の供給ライン４５１又は洗剤貯留部から延びる連結管４７９が連結されてもよい。
【０２３３】
ここで、補助洗剤貯留部４７６に投入された補助洗剤は、第２の供給ライン４５１から供給される洗濯水又は洗剤貯留部４７２を通じて連結管４７９から供給される洗濯水と混合されて第２のタブ４１０に供給される。
【０２３４】
また、補助洗剤貯留部４７２の下部には、補助洗剤貯留部４７２において混合された繊維柔軟剤又は補助洗剤と洗濯水を第２のタブ４１０に供給する補助洗剤給水管４７８が備えられる。補助洗剤給水管４７８には、補助洗剤貯留部４７６において混合された繊維柔軟剤又は補助洗剤と洗濯水の供給を制御する補助洗剤水供給バルブ４７７が備えられる。
【０２３５】
ここで、補助洗剤給水管４７８は、第２のドラム４３０が回転する時、第２のタブ４１０へ振動が伝達されることを防止するように、ベローズ状に形成されてもよい。補助洗剤水供給バルブ４７７は、補助洗剤給水管４７８と補助洗剤貯留部４７６との間に備えられ、補助洗剤貯留部４７６の補助洗剤の供給制御と共に、第２のタブ４１０の洗濯水が補助洗剤貯留部４７６に逆流することを防止することができる。一実施例として、第２のタブ４１０の場合、第２のタブ４１０の内側において回転する第２のドラム４３０の遠心力によって、第２のタブ４１０に連結される補助洗剤給水管４７８を通じて補助洗剤貯留部４７６に洗濯水が逆流することが発生する可能性がある。
【０２３６】
よって、補助洗剤水供給バルブ４７７は、第２のドラム４３０が回転する時、補助洗剤給水管４７８を閉鎖して、第２のタブ４１０の洗濯水が遠心力によって補助洗剤給水管４７８を通じて逆流することを防止することができる。
【０２３７】
一実施例として、補助洗剤水供給バルブ４７７は、第２のタブ４１０の洗濯水が逆流することを防止するためのチェックバルブとして備えられてもよい。他の実施例として、制御部５０の制御によって、補助洗剤給水管４７８を開閉する電磁バルブとして備えられてもよい。
【０２３８】
上述のような本発明の第１の実施例による第２の洗剤供給部において、洗剤の供給及び補助洗剤の供給を詳細に説明する。
【０２３９】
先ず、ユーザは、衣類処理装置１０の作動によって、第２の洗剤供給部４７０の洗剤投入口４７１を通じて液状洗剤又は粉末洗剤などの洗剤を投入して、補助洗剤投入口４７５を通じて繊維柔軟剤又は漂白剤などの補助洗剤を投入することができる。
【０２４０】
洗剤投入口４７１に投入された洗剤の場合、洗剤貯留部４７２に貯留され、洗剤貯留部４７２に貯留された洗剤は、洗剤給水管４７４に備えられる洗剤水供給バルブ４７３が閉鎖状態を維持することで、第２のタブ４１０に直接に投入されることが防止される。
【０２４１】
補助洗剤投入口４７５に投入された補助洗剤の場合、補助洗剤貯留部４７６に貯留され、補助洗剤貯留部４７６に貯留された洗剤は、補助洗剤給水管４７８に備えられる補助洗剤水供給バルブ４７７が閉鎖状態を維持することで、第２のタブ４１０に直接に投入されることが防止される。衣類処理装置１０の洗濯行程が進められるにつれて、外部の給水源から洗濯水が供給され、供給される洗濯水は、第２の給水部４５０の第２のバルブアセンブリ４５２の作動によって、第２の供給ライン４５１を通じて第２の洗剤供給部４７０に供給される。
【０２４２】
第２の洗剤供給部４７０に供給される洗濯水は、第２の洗剤供給部４７０の洗剤貯留部４７２に供給され、洗濯水は洗剤貯留部４７２に投入され、洗剤貯留部４７２に貯留された洗剤と混合される。
【０２４３】
その後、洗剤貯留部４７２において洗剤と混合された洗濯水は、洗剤給水管４７４に備えられる洗剤水供給バルブ４７３が開放されるにつれて、第２のタブ４１０に供給される。
【０２４４】
補助洗剤貯留部４７６に貯留された補助洗剤の場合、洗剤貯留部４７２に供給される洗濯水が供給され、補助洗剤を洗濯水と共に第２のタブ４１０に供給する。
【０２４５】
補助洗剤貯留部４７６に貯留された補助洗剤の場合、洗剤貯留部４７２に供給される洗濯水が洗剤貯留部４７２と補助洗剤貯留部４７６を連結する連結管４７９を通じて補助洗剤貯留部４７６に移動され、補助洗剤貯留部４７６に移動された洗濯水は、補助洗剤貯留部４７６に貯留された補助洗剤と混合される。
【０２４６】
その後、補助洗剤貯留部４７６において補助洗剤と混合された洗濯水は、補助洗剤給水管４７８に備えられる補助洗剤水供給バルブ４７７が開放されるにつれて、第２のタブ４１０に供給される。
【０２４７】
補助洗剤貯留部４７６と洗剤貯留部４７２を連結する連結管４７９には、連結管４７９を開閉して補助洗剤貯留部４７６に供給される洗濯水の供給を制御することもできる。
【０２４８】
洗剤給水管４７４と補助洗剤給水管４７８は、第２のタブ４１０の側壁を貫通して、第２のタブ４１０の内部と連通するように連結され、複数の洗剤給水管４７４と補助洗剤給水管４７８が第２のタブ４１０の側壁と連結される地点は、その高さが互いに異なるように連結されることが好ましい。
【０２４９】
即ち、洗剤給水管４７４と補助洗剤給水管４７８が第２のタブと連結される地点は、複数の地点に分散することができ、第２のタブ４１０と連結される洗剤給水管４７４と補助洗剤給水管４７８の位置は、洗剤給水管４７４と補助洗剤給水管４７８に供給される洗濯水に高度差があるように連結された方が好ましい。
【０２５０】
以下、図８を参照して、本発明による衣類処理装置において、第２の洗濯部の第２の実施例を詳細に説明する。
【０２５１】
図８に示したように、本発明の第２の実施例による第２の洗剤供給部４７０ａは、上述した第１の実施例のように、第２のタブ４１０の前方の両側において、第２のタブ４１０の前方の一側に位置して、洗濯物の洗濯のための液状洗剤又は粉末洗剤が投入される洗剤投入口４７１ａと、第２のタブ４１０の前方の他側に位置して、洗濯物の洗濯時に補助的な役割を果たす繊維柔軟剤、漂白剤などの補助洗剤が投入される補助洗剤投入口４７５ａとを備えてもよい。
【０２５２】
洗剤投入口４７１ａの下部には、投入される洗剤が一時貯留される洗剤貯留部４７２ａが備えられる。補助洗剤投入口４７５ａの下部には、投入される洗剤が一時貯留される補助洗剤貯留部４７６ａが備えられる。
【０２５３】
第２の給水部４５０ａには、第２のバルブアセンブリ４５２ａから延びて、洗剤貯留部４７２ａに連結される第２の洗剤水供給ライン４５１ａと、第２のバルブアセンブリ４５２ａから延びて、補助洗剤貯留部４７２ａに連結される第２の補助洗剤供給ライン４５３ａとを備える。
【０２５４】
一実施例として、第２の給水部４５０ａは、洗濯水を供給するための少なくとも２つ以上の供給ラインを備えることができる。よって、洗剤貯留部４７２ａに供給された洗剤は、第２の洗剤水供給ライン４５１ａから供給される洗濯水によって混合され、補助洗剤貯留部４７６ａに供給された補助洗剤は、第２の補助洗剤給水管４５３ａから供給される洗濯水によって混合される。
【０２５５】
一実施例として、第２の給水部は、第２の洗剤水供給ライン４５１ａと、第２の補助洗剤供給ライン４５３ａとは別として、洗剤及び補助洗剤（繊維柔軟剤の他に漂白剤のように洗剤と繊維柔軟剤とは異なる機能を行う物質）が供給できるラインをさらに含んでもよい。
【０２５６】
本発明の第２の実施例の場合、第２の洗剤水供給ライン４５１ａを通じて、第２のタブ４１０に供給するための水道水及び洗剤貯留部４７２ａに貯留された洗剤を供給するための洗濯水が供給される。
【０２５７】
一実施例として、第２の洗剤水供給ライン４５１ａから供給される水道水の場合、洗剤貯留部４７２ａに洗剤が貯留されていない場合には、第２のタブ４１０に供給される水道水となり得る。また、第２の洗剤水供給ライン４５１ａから供給された水道水は、洗剤が洗剤貯留部４７２ａに貯留されている場合、洗剤を溶解させるための洗剤水となり得る。即ち、第２の洗剤水供給ライン４５１ａは、水道水及び洗濯水を、洗剤貯留部４７２ａを経由して第２のタブ４１０に供給することができる。
【０２５８】
一実施例として、第２の洗剤水供給ライン４５１ａから供給される水道水の場合、補助洗剤貯留部４７６ａに洗剤が貯留されていない場合には、第２のタブ４１０に供給される水道水となり得、補助洗剤貯留部４７６ａに洗剤が貯留されている場合、洗剤を溶解させる洗濯水の役割を果たす。即ち、第２の洗剤水供給ライン４５１ａは、水道水及び洗濯水を、洗剤貯留部４７２ａ又は補助洗剤貯留部４７６ａを経由して第２のタブ４１０に供給することができる。
【０２５９】
洗剤貯留部４７２ａの下部には、洗剤貯留部４７２ａにおいて混合された洗剤と洗濯水を第２のタブ４１０に供給する洗剤給水管４７４ａが備えられる。洗剤給水管４７４ａは、第２のドラム４３０が回転する時、第２のタブ４１０に振動が伝達されることを防止するように、ベローズ状に形成された方が好ましい。
【０２６０】
洗剤給水管４７４ａには、洗剤貯留部４７２ａにおいて混合された洗剤と洗濯水の供給を制御する洗剤水供給バルブ４７３ａが備えられる。洗剤水供給バルブ４７３ａは、洗剤給水管４７４ａと洗剤貯留部４７２ａとの間に備えられ、洗剤貯留部４７２ａの洗剤及び洗濯水の供給制御と共に、第２のタブ４１０の洗濯水が洗剤貯留部４７２に逆流することを防止することができる。
【０２６１】
一実施例として、洗剤水供給バルブ４７３ａは、第２のタブ４１０の洗濯水が逆流することを防止するためのチェックバルブとして備えられてもよい。他の実施例として、制御部５０の制御によって、洗剤給水管４７４ａを開閉する電磁バルブとして備えられてもよい。第２のタブ４１０の場合、第２のタブ４１０の内側において回転する第２のドラム４３０の遠心力によって、第２のタブ４１０に連結される洗剤給水管４７４ａを通じて洗剤貯留部４７２ａに洗濯水が逆流することが発生する可能性がある。
【０２６２】
よって、洗剤水供給バルブ４７３ａは、第２のドラム４３０が回転する時、洗剤給水管４７４ａを閉鎖して、第２のタブ４１０の洗濯水が遠心力によって洗剤給水管４７４ａを通じて逆流することを防止することができる。
【０２６３】
補助洗剤貯留部４７６ａの下部には、補助洗剤貯留部４７６ａにおいて混合された繊維柔軟剤又は補助洗剤と洗濯水を第２のタブ４１０に供給する補助洗剤給水管４７８ａが備えられる。
【０２６４】
一方、補助洗剤給水管４７８ａは、第２のドラム４３０が回転する時、第２のタブ４１０に振動が伝達されることを防止するように、ベローズ状に形成されてもよい。ここで、補助洗剤給水管４７８ａには、補助洗剤貯留部４７６ａにおいて混合された繊維柔軟剤又は補助洗剤と洗濯水の供給を制御する補助洗剤水供給バルブ４７７ａが備えられる。補助洗剤水供給バルブ４７７ａは、補助洗剤給水管４７８ａと補助洗剤貯留部４７６ａとの間に備えられ、補助洗剤貯留部４７６ａの補助洗剤の供給制御と共に、第２のタブ４１０の洗濯水が補助洗剤貯留部４７６ａに逆流することを防止することができる。
【０２６５】
一実施例として、補助洗剤水供給バルブ４７７ａは、第２のタブ４１０の洗濯水が逆流することを防止するためのチェックバルブとして備えられえもよい。他の実施例として、制御部５０の制御によって、補助洗剤給水管４７８ａを開閉する電磁バルブとして備えられてもよい。
【０２６６】
第２のタブ４１０の場合、第２のタブ４１０の内側において回転する第２のドラム４３０の遠心力によって、第２のタブ４１０に連結される補助洗剤給水管４７８ａを通じて、補助洗剤貯留部４７６ａに洗濯水が逆流することが発生する可能性がある。よって、補助洗剤水供給バルブ４７７ａは、第２のドラム４３０が回転する時、補助洗剤給水管４７８ａを閉鎖して、第２のタブ４１０の洗濯水が遠心力によって、補助洗剤給水管４７８ａを通じて逆流することを防止することができる。即ち、補助洗剤水供給バルブ４７７ａは、補助洗剤貯留部４７６ａの洗剤及び洗濯水の供給制御と共に、第２のタブ４１０の洗濯水が洗剤貯留部４７２ａに逆流することを防止することができる。
【０２６７】
上述のような本発明の第２の実施例による第２の洗剤供給部において、洗剤の供給及び補助洗剤の供給を詳細に説明する。
【０２６８】
先ず、ユーザは、衣類処理装置１０の作動によって、第２の洗剤供給部４７０ａの洗剤投入口４７１ａを通じて液状洗剤又は粉末洗剤などの洗剤を投入して、補助洗剤投入口４７５ａを通じて繊維柔軟剤又は漂白剤などの補助洗剤を投入することができる。
【０２６９】
洗剤投入口４７１ａに投入された洗剤の場合、洗剤貯留部４７２ａに貯留され、洗剤貯留部４７２ａに貯留された洗剤は、洗剤給水管４７４ａに備えられる洗剤水供給バルブ４７３ａが閉鎖状態を維持することで、第２のタブ４１０に直接に投入されることが防止される。
【０２７０】
同様に、補助洗剤投入口４７５ａに投入された補助洗剤の場合、補助洗剤貯留部４７６ａに貯留され、補助洗剤貯留部４７６ａに貯留された洗剤は、補助洗剤給水管４７８ａに備えられる補助洗剤水供給バルブ４７７ａが閉鎖状態を維持することで、第２のタブ４１０に直接に投入されることが防止される。
【０２７１】
衣類処理装置１０の洗濯行程が進められるにつれて、外部の給水源から水道水が供給され、供給される水道水は、第２の給水部４５０ａの第２のバルブアセンブリ４５２ａの作動によって、第２の洗剤水供給ライン４５１ａ及び第２の補助洗剤給水管４５３ａを通じて、第２の洗剤供給部４７０ａの洗剤貯留部４７２ａ及び補助洗剤貯留部４７６ａに供給される。第２の洗剤水供給ライン４５１ａを通じて、洗剤貯留部４７２ａに供給される洗濯水は、洗剤貯留部４７２ａに投入されて、洗剤貯留部４７２ａに貯留された洗剤と混合される。
【０２７２】
その後、洗剤貯留部４７２ａにおいて洗剤と混合された洗濯水は、洗剤給水管４７４ａに備えられる洗剤水供給バルブ４７３ａが開放されるにつれて、第２のタブ４１０に供給されることができる。
【０２７３】
同様に、第２の補助洗剤給水管４７８ａを通じて補助洗剤貯留部４７６ａに供給される洗濯水は、補助洗剤貯留部４７６ａに投入されて、補助洗剤貯留部４７６ａに貯留された補助洗剤と混合される。その後、補助洗剤貯留部４７６ａにおいて補助洗剤と混合された洗濯水は、補助洗剤給水管４７８ａに備えられる補助洗剤水供給バルブ４７７ａが開放されるにつれて、第２のタブ４１０に  供給されることができる。
【０２７４】
以下、図９を参照して、本発明による衣類処理装置において、第２の洗濯部の第３の実施例を詳細に説明する。
【０２７５】
図９に示したように、本発明の第３の実施例による第２の洗剤供給部４７０ｂは、上述した第１の実施例のように、第２のタブ４１０の前方の両側において、第２のタブ４１０の前方の一側に位置して、洗濯物の洗濯のための液状洗剤又は粉末洗剤が投入される洗剤投入口４７１ｂと、第２のタブ４１０の前方の他側に位置して、洗濯物の洗濯時に補助的な役割を果たす繊維柔軟剤、漂白剤などの補助洗剤が投入される補助洗剤投入口４７５ｂとが備えられる。
【０２７６】
洗剤投入口４７１ｂの下部には、投入される洗剤が一時貯留される洗剤貯留部４７２ｂが備えられ、補助洗剤投入口４７５ｂの下部には、投入される補助洗剤が一時貯留される補助洗剤貯留部４７６ｂが備えられる。第２の給水部には、第２のバルブアセンブリ４５２ｂから延びて、洗剤貯留部４７２ｂに連結される第２の洗剤水供給ライン４５１ｂと、第２のバルブアセンブリ４５２ｂから延びて、補助洗剤貯留部４７２ｂに連結される第２の補助洗剤水供給ライン４５３ｂと、第２のタブ４１０に洗濯水を別として供給する第２の水道水供給ライン４５４ｂとを備える。
【０２７７】
この実施例において、第２の水道水供給ライン４５４ｂは、第２の洗剤水供給ライン４５１ｂ及び第２の補助洗剤水供給ライン４５３ｂと独立して第２のタブ４１０に洗濯水を給水することができる。
【０２７８】
一実施例として、第２の水道水供給ライン４５４ｂの場合、第２のタブ４１０に直接に連結され、第２のタブ４１０に洗濯水を供給することができる。他の実施例として、上述した第２のタブ４１０に備えられるタブドア４１３に連結され、第２のタブ４１０の上部において、第２のタブ４１０の上部開口部を通じて、内部に洗濯水を供給することもできる。第２のタブ４１０の上部開口部を通じて水道水を供給する場合、水道水の落下差により水道水が拡散して、洗濯物を効果的に濡らすことができる。
【０２７９】
洗剤投入口４７１ｂの下部には、投入される洗剤が一時貯留される洗剤貯留部４７２ｂが備えられる。洗剤貯留部４７２ｂには、第２のバルブアセンブリ４５２ｂから延びる第２の洗剤水供給ライン４５１ｂが連結される。洗剤貯留部４７２ｂに投入された洗剤は、第２の洗剤水供給ライン４５１ｂから供給される洗濯水と混合されて、第２のタブ４１０に供給されることができる。
【０２８０】
洗剤貯留部４７２ｂの下部には、洗剤貯留部４７２ｂにおいて混合された洗剤と洗濯水を第２のタブ４１０に供給する洗剤給水管４７４ｂが備えられる。洗剤給水管４７４ｂは、第２のドラム４３０が回転する時、第２のタブ４１０に振動が伝達されることを防止するように、ベローズ状に形成された方が好ましい。
【０２８１】
洗剤給水管４７４ｂには、洗剤貯留部４７２ｂにおいて混合された洗剤及び洗濯水の供給を制御する洗剤水供給バルブ４７３ｂが備えられる。洗剤水供給バルブ４７３ｂは、洗剤給水管４７４ｂと洗剤貯留部４７２ｂとの間に備えられ、洗剤貯留部４７２ｂの洗剤及び洗濯水の供給制御と共に、第２のタブ４１０の洗濯水が洗剤貯留部４７２ｂに逆流することを防止することができる。
【０２８２】
即ち、第２のタブ４１０の場合、第２のタブ４１０の内側において回転する第２のドラム４３０の遠心力によって、第２のタブ４１０に連結される洗剤給水管４７４ｂを通じて、洗剤貯留部４７２ｂに洗濯水が逆流することが発生する可能性がある。よって、洗剤水供給バルブ４７３ｂは、第２のドラム４３０が回転する時、洗剤給水管４７４ｂを閉鎖して、第２のタブ４１０の洗濯水が遠心力によって、洗剤給水管４７４ｂを通じて逆流することを防止することができる。
【０２８３】
洗剤給水管４７４ｂは複数備えられてもよく、洗剤給水管４７４ｂの他に、補助洗剤を供給するための補助洗剤給水管４７８ｂをさらに備えてもよい。洗剤給水管４７４ｂ及び補助洗剤給水管４７８ｂは、第２のタブ４１０の側壁にそれぞれ異なる位置に連結される。
【０２８４】
一実施例として、洗剤給水管４７４ｂ及び補助洗剤給水管４７８ｂは、側壁に連結されるとき、重畳領域を有することができる。また、洗剤給水管４７４ｂ及び補助洗剤給水管４７８ｂは、第２の洗濯部４０を中心として対称する形態、又は互いに反対方向に位置及び延長されてもよい。洗剤給水管４７４ｂ及び補助洗剤給水管４７８ｂの設置方向は、第２のタブ４１０の中心を通過する方向に延長線を有するように第２のタブの側壁に連結されてもよく、第２のタブ４１０の中心を通過する方向の延長線に平行な方向に第２のタブ４１０の側壁に連結されてもよく、又は、第２のタブ４１０の側壁に接線方向に連結されてもよい。
【０２８５】
他の実施例として、洗剤給水管４７４ｂ及び補助洗剤給水管４７８ｂは、第２のタブ４１０を中心として対称する形態で第２のタブ４１０の側壁に連結されてもよく、互いに隣接したり、所定間隔に離隔して連結されてもよい。
【０２８６】
また、洗剤給水管４７４ｂ及び補助洗剤給水管４７８ｂの場合、第２の水道水供給ラインに対称する位置において、第２のタブの側壁に連結されてもよい。即ち、洗剤給水管及び補助洗剤給水管は、第２のタブを基準として、第２の水道水供給ラインの反対方向に形成されてもよく、第２の水道水供給ラインの延長線上において第２のタブの側壁に連結されてもよい。
【０２８７】
このような、洗剤給水管４７４ｂ及び補助洗剤給水管４７８ｂの延長方向及び設置位置は、第２のタブ４１０とタブケース２５０との間の空間が確保できるか否かによって選択的に形成される。また、洗剤給水管４７４ｂ及び補助洗剤給水管４７８ｂの第２のタブ４１０の側壁連結において、洗剤給水管４７４ｂ及び補助洗剤給水管４７８ｂの設置自由度を増加させることができる。
【０２８８】
補助洗剤貯留部４７２ｂの下部には、補助洗剤貯留部４７２ｂにおいて混合された繊維柔軟剤又は補助洗剤及び洗濯水を第２のタブ４１０に供給する補助洗剤給水管４７８ｂが備えられる。一方、補助洗剤給水管４７８ｂは、第２のドラム４３０が回転する時、第２のタブ４１０に振動が伝達されることを防止するように、ベローズ状に形成された方が好ましい。
【０２８９】
補助洗剤給水管４７８ｂには、補助洗剤貯留部４７６ｂにおいて混合された繊維柔軟剤又は補助洗剤及び洗濯水の供給を制御する補助洗剤水供給バルブ４７７ｂが備えられる。補助洗剤水供給バルブ４７７ｂは、補助洗剤給水管４７８ｂと補助洗剤貯留部４７６ｂとの間に備えられ、補助洗剤貯留部４７６ｂの補助洗剤の供給制御と共に、第２のタブ４１０の洗濯水が補助洗剤貯留部４７６ｂに逆流することを防止することができる。
【０２９０】
即ち、第２のタブ４１０の場合、第２のタブ４１０の内側において回転する第２のドラム４３０の遠心力によって、第２のタブ４１０に連結される補助洗剤給水管４７８ｂを通じて補助洗剤貯留部４７６ｂに洗濯水が逆流することが発生する可能性がある。よって、補助洗剤水供給バルブ４７７ｂは、第２のドラム４３０が回転する時、補助洗剤給水管４７８ｂを閉鎖して、第２のタブ４１０の洗濯水が遠心力によって、補助洗剤給水管４７８ｂを通じて逆流することを防止することができる。即ち、補助洗剤水供給バルブ４７７ｂは、補助洗剤貯留部４７６ｂの洗剤及び洗濯水の供給制御と共に、第２のタブ４１０の洗濯水が洗剤貯留部４７２ｂに逆流することを防止することができる。
【０２９１】
一実施例として、洗剤水供給バルブ４７３ｂ及び補助洗剤水供給バルブ４７７ｂは、第２のタブ４１０の洗濯水が逆流することを防止するためのチェックバルブとして備えられてもよく、他の実施例として、制御部５０の制御によって、洗剤給水管４７４ｂ及び補助洗剤給水管４７８ｂを開閉する電磁バルブとして備えられてもよい。
【０２９２】
上述のような本発明の第３の実施例による第２の洗剤供給部において、洗剤の供給及び補助洗剤の供給を詳細に説明する。
【０２９３】
先ず、ユーザは、衣類処理装置１０の作動によって、第２の洗剤供給部４７０ｂの洗剤投入口４７１ｂを通じて液状洗剤又は粉末洗剤などの洗剤を投入して、補助洗剤投入口４７５ｂを通じて繊維柔軟剤又は漂白剤などの補助洗剤を投入することができる。
【０２９４】
洗剤投入口４７１ｂに投入された洗剤の場合、洗剤貯留部４７２ｂに貯留され、洗剤貯留部４７２ｂに貯留された洗剤は、洗剤給水管４７４ｂに備えられる洗剤水供給バルブ４７３ｂが閉鎖状態を維持することで、第２のタブ４１０に直接に投入されることが防止される。
【０２９５】
また、補助洗剤投入口４７５ｂに投入された補助洗剤の場合、補助洗剤貯留部４７６ｂに貯留され、補助洗剤貯留部４７６ｂに貯留された洗剤は、補助洗剤給水管４７８ｂに備えられる補助洗剤水供給バルブ４７７ｂが閉鎖状態を維持することで、第２のタブ４１０に直接に投入されることが防止される。
【０２９６】
ここで、衣類処理装置１０の洗濯行程が進められるにつれて、外部の給水源から洗濯水が供給され、供給される洗濯水は、第２の給水部４５０ｂの第２のバルブアセンブリ４５２ｂの作動によって、第２の洗剤水供給ライン４５１ｂ及び第２の補助洗剤水供給ライン４５３ｂを通じて、第２の洗剤供給部４７０ｂの洗剤貯留部４７２ｂ及び補助洗剤貯留部４７６ｂに供給される。
【０２９７】
ここで、第２の洗剤水供給ライン４５１ｂを通じて洗剤貯留部４７２ｂに供給される洗濯水は、洗剤貯留部４７２ｂに投入されて、洗剤貯留部４７２ｂに貯留された洗剤と混合される。
【０２９８】
その後、洗剤貯留部４７２ｂにおいて洗剤と混合された洗濯水は、洗剤給水管４７４ｂに備えられる洗剤水供給バルブ４７３ｂが開放されるにつれて、第２のタブ４１０に供給されることができる。一方、第２のタブ４１０への洗濯水給水は、第２の給水部４５０ｂの第２の水道水供給ライン４５４ｂを通じて第２の洗剤供給部４７０ｂの給水とは別として給水されることができる。
【０２９９】
一方、第２の補助洗剤給水管４７８ｂを通じて補助洗剤貯留部４７６ｂに供給される洗濯水は、補助洗剤貯留部４７６ｂに投入されて、補助洗剤貯留部４７６ｂに貯留された補助洗剤と混合される。その後、補助洗剤貯留部４７６ｂにおいて補助洗剤と混合された洗濯水は、補助洗剤給水管４７８ｂに備えられる補助洗剤水供給バルブ４７７ｂが開放されるにつれて、第２のタブ４１０に供給されることができる。
【０３００】
以下、図１０を参照して、本発明による衣類処理装置において、第２の洗濯部の第４の実施例を詳細に説明する。
【０３０１】
図１０に示したように、本発明の第４の実施例による第２の洗剤供給部４７０ｃは、上述した第１の実施例のように、第２のタブ４１０の前方の両側において、第２のタブ４１０の前方の一側に位置して、洗濯物の洗濯のための液状洗剤又は粉末洗剤が投入される洗剤投入口４７１ｃと、第２のタブ４１０の前方の他側に位置して、洗濯物の洗濯時の補助的な役割を果たす繊維柔軟剤、漂白剤などの補助洗剤が投入される補助洗剤投入口４７５ｃとが備えられる。
【０３０２】
洗剤投入口４７１ｃの下部には、投入される洗剤が一時貯留される洗剤貯留部４７２ｃが備えられ、補助洗剤投入口４７５ｃの下部には、投入される補助洗剤が一時貯留される補助洗剤貯留部４７６ｃが備えられる。
【０３０３】
第２の給水部４５０ｃには、第２のバルブアセンブリ４５２ｃから延びる第２のメイン給水管４５５ｃと、第２のメイン給水管４５５ｃから分岐して、洗剤貯留部４７２ｃに連結される第２の洗剤水供給ライン４５１ｃと、第２のメイン給水管４５５ｃから分岐して、補助洗剤貯留部４７２ｃに連結される第２の補助洗剤水供給ライン４５３ｃと、第２のメイン給水管４５５ｃから分岐して、第２のタブ４１０に洗濯水を別として供給する第２の水道水供給ライン４５４ｃとを備える。
【０３０４】
一実施例として、第２の洗剤水供給ライン４５１ｃ、第２の補助洗剤水供給ライン４５３ｃ、第２の水道水供給ライン４５４ｃは、第２のメイン給水管４５５ｃの特定の分岐部４６５ｃから分岐して、それぞれ洗剤貯留部４７２ｃ、補助洗剤貯留部４７６ｃ及び第２のタブ４１０に洗濯水を給水するように備えられることができる。この場合、第２のメイン給水管４５５ｃを通じて、第２の洗剤水供給ライン４５１ｃ、第２の補助洗剤水供給ライン４５３ｃ、第２の水道水供給ライン４５４ｃに同時に洗濯水を供給することができる。
【０３０５】
一実施例として、第２の洗剤水供給ライン４５１ｃ又は第２の補助洗剤水供給ライン４５３ｃには、第２の水道水供給ラインと独立した給水制御のための別の洗剤給水バルブ４５１ｃ'及び補助洗剤給水バルブ４５３ｃ'がさらに備えられてもよい。ここで、第２の水道水供給ライン４５４ｃは、第２の洗剤水供給ライン４５１ｃ及び第２の補助洗剤水供給ライン４５３ｃと独立して第２のタブ４１０に洗濯水を給水することができる。
【０３０６】
一実施例として、第２の水道水供給ライン４５４ｃの場合、第２のタブ４１０に直接に連結され、第２のタブ４１０に洗濯水を供給することができる。他の実施例として、上述した第２のタブ４１０に備えられるタブドア４１３に連結され、第２のタブ４１０の上部から第２のタブ４１０の内部へ洗濯水を拡散供給することもできる。
【０３０７】
一方、洗剤投入口４７１ｃの下部には、投入される洗剤が一時貯留される洗剤貯留部４７２ｃが備えられる。洗剤貯留部４７２ｃには、第２のバルブアセンブリ４５２ｃから延びる第２の洗剤水供給ライン４５１ｃが連結される。洗剤貯留部４７２ｃに投入された洗剤は、第２の洗剤水供給ライン４５１ｃから供給される洗濯水と混合されて第２のタブ４１０に供給されることができる。
【０３０８】
ここで、洗剤貯留部４７２ｃの下部には、洗剤貯留部４７２ｃにおいて混合された洗剤と洗濯水を第２のタブ４１０に供給する洗剤給水管４７４ｃが備えられる。洗剤給水管４７４ｃは、第２のドラム４３０が回転する時、第２のタブ４１０に振動が伝達されることを防止するように、ベローズ状に形成されてもよい。
【０３０９】
洗剤給水管４７４ｃには、洗剤貯留部４７２ｃにおいて混合された洗剤と洗濯水の供給を制御する洗剤水供給バルブ４７３ｃが備えられる。洗剤水供給バルブ４７３ｃは、洗剤給水管４７４ｃと洗剤貯留部４７２ｃとの間に備えられ、洗剤貯留部４７２ｃの洗剤及び洗濯水の供給制御と共に、第２のタブ４１０の洗濯水が洗剤貯留部４７２ｃに逆流することを防止することができる。
【０３１０】
即ち、第２のタブ４１０の場合、第２のタブ４１０の内側において回転する第２のドラム４３０の遠心力によって、第２のタブ４１０に連結される洗剤給水管４７４ｃを通じて、洗剤貯留部４７２ｃに洗濯水が逆流することが発生する可能性がある。よって、洗剤水供給バルブ４７３ｃは、第２のドラム４３０が回転する時、洗剤給水管４７４ｃを閉鎖して、第２のタブ４１０の洗濯水が遠心力によって、洗剤給水管４７４ｃを通じて逆流することを防止することができる。
【０３１１】
また、補助洗剤貯留部４７２ｃの下部には、補助洗剤貯留部４７２ｃにおいて混合された繊維柔軟剤又は補助洗剤と洗濯水を第２のタブ４１０に供給する補助洗剤給水管４７８ｃが備えられる。一方、補助洗剤給水管４７８ｃは、第２のドラム４３０が回転する時、第２のタブ４１０に振動が伝達されることを防止するように、ベローズ状に形成された方が好ましい。
【０３１２】
補助洗剤給水管４７８ｃには、補助洗剤貯留部４７６ｃにおいて混合された繊維柔軟剤又は補助洗剤と洗濯水の供給を制御する補助洗剤水供給バルブ４７７ｃが備えられる。補助洗剤水供給バルブ４７７ｃは、補助洗剤給水管４７８ｃと補助洗剤貯留部４７６ｃとの間に備えられ、補助洗剤貯留部４７６ｃの補助洗剤の供給制御と共に、第２のタブ４１０の洗濯水が補助洗剤貯留部４７６ｃに逆流することを防止することができる。即ち、第２のタブ４１０の場合、第２のタブ４１０の内側において回転する第２のドラム４３０の遠心力によって、第２のタブ４１０に連結される補助洗剤給水管４７８ｃを通じて、補助洗剤貯留部４７６ｃに洗濯水が逆流することが発生する可能性がある。
【０３１３】
よって、補助洗剤水供給バルブ４７７ｃは、第２のドラム４３０が回転する時、補助洗剤給水管４７８ｃを閉鎖して、第２のタブ４１０の洗濯水が遠心力によって、補助洗剤給水管４７８ｃを通じて逆流することを防止することができる。
【０３１４】
一実施例として、補助洗剤水供給バルブ４７７ｃは、補助洗剤貯留部４７６ｃの洗剤及び洗濯水の供給制御と共に、第２のタブ４１０の洗濯水が洗剤貯留部４７２ｃに逆流することを防止することができる。
【０３１５】
一実施例として、給水管４７４ｃは、洗剤貯留部４７２ｃから第２の給水部４５０ｃ側（即ち、第２の洗濯部４０の後方）に延びて、第２のタブ４１０の中心方向に折り曲がれ、第２のタブ４１０に連結されることができる。
【０３１６】
他の実施例として、洗剤給水管４７４ｃは、洗剤貯留部４７２ｃから補助洗剤貯留部４７６ｃ側に延びて、第２のタブ４１０の中心軸に折り曲がれ、第２のタブ４１０に連結されてもよい。
【０３１７】
同様に、一実施例として、補助洗剤給水管４７８ｃは、補助洗剤貯留部４７６ｃから第２の給水部４５０ｃ側（即ち、第２の洗濯部４０の後方）に延びて、第２のタブ４１０の中心方向に折り曲がれ、第２のタブ４１０に連結されることができる。
【０３１８】
他の実施例として、補助洗剤給水管４７８ｃは、補助洗剤貯留部４７６ｃから洗剤貯留部４７２ｃ側に延びて、第２のタブ４１０の中心軸に折り曲がれ、第２のタブ４１０に連結されてもよい。
【０３１９】
特定の実施例として、洗剤給水管４７４ｃ及び補助洗剤給水管４７８ｃの設置方向は、第２のタブ４１０の中心を通過する方向に延長線を有するように、第２のタブの側壁に連結されてもよく、第２のタブ４１０の中心を通過する方向の延長線に平行な方向に第２のタブ４１０の側壁に連結されてもよく、又は第２のタブ４１０の側壁に接線方向に連結されてもよい。
【０３２０】
他の特定の実施例として、洗剤給水管４７４ｃ及び補助洗剤給水管４７８ｃは、第２のタブ４１０を中心として対称する形態で第２のタブ４１０の側壁に連結されてもよく、互いに隣接するか、所定間隔に離隔して連結されてもよい。
【０３２１】
一実施例として、洗剤給水管４７４ｃ又は補助洗剤給水管４７８ｃの第２のタブ４１０の側壁の設置位置は、互いに異なる位置に形成されることができる。具体的に、第２のタブ４１０の高さ基準として、第２のタブ４１０の側壁高さ中心を基準として、上端部、上部、中央部、下部、下端部などに位置することができる。一実施例として、洗剤給水管４７４ｃ及び補助洗剤給水管４７８ｃは、それぞれ異なる位置で側壁に連結されることができる。
【０３２２】
洗剤給水管及び補助洗剤給水管の設置高さは、洗剤給水管と補助洗剤給水管とのいずれか１つは上部に位置して、その他の１つは下部に位置してもよい。
【０３２３】
このような、洗剤給水管４７４ｃ及び補助洗剤給水管４７８ｃの延長方向及び設置位置は、第２のタブ４１０とタブケース２５０との間の空間が確保できるか否かによって選択的に形成されることができ、
洗剤給水管４７４ｃ及び補助洗剤給水管４７８ｃの第２のタブ４１０の側壁連結において、洗剤給水管４７４ｃ及び補助洗剤給水管４７８ｃの設置自由度を増加させることができる。
【０３２４】
以下、本発明の第４の実施例による第２の洗剤供給部において、洗剤の供給及び補助洗剤の供給を詳細に説明する。
【０３２５】
先ず、ユーザは、衣類処理装置１０の作動によって、第２の洗剤供給部４７０ｃの洗剤投入口４７１ｃを通じて、液状洗剤又は粉末洗剤などの洗剤を投入して、補助洗剤投入口４７５ｃを通じて、繊維柔軟剤又は漂白剤などの補助洗剤を投入することができる。
【０３２６】
洗剤投入口４７１ｃに投入された洗剤の場合、洗剤貯留部４７２ｃに貯留され、洗剤貯留部４７２ｃに貯留された洗剤は、洗剤給水管４７４ｃに備えられる洗剤水供給バルブ４７３ｃが閉鎖状態を維持することで、第２のタブ４１０に直接に投入されることが防止される。
【０３２７】
補助洗剤投入口４７５ｃに投入された補助洗剤の場合、補助洗剤貯留部４７６ｃに貯留され、補助洗剤貯留部４７６ｃに貯留された洗剤は、補助洗剤給水管４７８ｃに備えられる補助洗剤水供給バルブ４７７ｃが閉鎖状態を維持することで、第２のタブ４１０に直接に投入されることが防止される。
【０３２８】
衣類処理装置１０の洗濯行程が進められるにつれて、外部の給水源から洗濯水が供給され、供給される洗濯水は、第２の給水部４５０ｃの第２のバルブアセンブリ４５２ｃの作動によって、第２のメイン給水管４５５ｃに供給され、第２のメイン給水管４５５ｃに供給された洗濯水は、第２のメイン給水管４５５ｃから分岐する第２の洗剤水供給ライン４５１ｃ、第２の補助洗剤水供給ライン４５３ｃ及び第２の水道水供給ライン４５４ｃに洗濯水を供給することができる。
【０３２９】
このとき、第２の洗剤水供給ライン４５１ｃ、第２の補助洗剤水供給ライン４５３ｃに供給される洗濯水の場合、洗剤給水バルブ４５１ｃ'及び補助洗剤給水バルブ４５３ｃ'によって制御され、第２の洗剤水供給ライン４５１ｃ、第２の補助洗剤水供給ライン４５３ｃ及び第２の水道水供給ライン４５４ｃが独立して制御され、洗剤貯留部４７２ｃ、補助洗剤貯留部４７６ｃ及び第２のタブ４１０への給水が独立して制御されることもできる。
【０３３０】
一実施例として、第２の洗剤水供給ライン４５１ｃを通じて、洗剤貯留部４７２ｃに供給される洗濯水は、洗剤貯留部４７２ｃに投入されて、洗剤貯留部４７２ｃに貯留された洗剤と混合される。その後、洗剤貯留部４７２ｃにおいて洗剤と混合された洗濯水は、洗剤給水管４７４ｃに備えられる洗剤水供給バルブ４７３ｃが開放されるにつれて、第２のタブ４１０に供給されることができる。
【０３３１】
一実施例として、第２の補助洗剤給水管４７８ｃを通じて、補助洗剤貯留部４７６ｃに供給される洗濯水は、補助洗剤貯留部４７６ｃに投入されて、補助洗剤貯留部４７６ｃに貯留された補助洗剤と混合される。その後、補助洗剤貯留部４７６ｃにおいて補助洗剤と混合された洗濯水は、補助洗剤給水管４７８ｃに備えられる補助洗剤水供給バルブ４７７ｃが開放されるにつれて、第２のタブ４１０に供給されることができる。
【０３３２】
以下、図１１を参照して、本発明による衣類処理装置において、第２の洗濯部の第５の実施例を詳細に説明する。
【０３３３】
図１１に示したように、本発明の第５の実施例は、第１の洗濯部３０に洗剤及び補助洗剤を供給する第１の洗剤供給部３７０と、第２の洗濯部４０に洗剤及び補助洗剤を供給する第２の洗剤供給部４７０ｄとが備えられる。
【０３３４】
一実施例として、第２の洗剤供給部４７０ｄは、上述した第１の実施例と同様な構造で備えられてもよい。特定の実施例として、第１の洗剤供給部３７０も、第２の洗剤供給部４７０ｄと同様な構造で備えられてもよい。
【０３３５】
第１の洗剤供給部３７０及び第２の洗剤供給部４７０ｄの場合、第１の洗濯部３０及び第２の洗濯部４０に洗剤及び補助洗剤を供給するためのものであり、ユーザの便宜のために、衣類処理装置１０の前方に位置した方が好ましい。
【０３３６】
第２の洗剤供給部４７０ｄの場合、第２のタブ４１０の前方の両側において、第２のタブ４１０の前方の一側に位置して、洗濯物の洗濯のための洗剤（液状洗剤又は粉末洗剤など）が投入される洗剤投入口４７１ｄと、第２のタブ４１０の前方の他側に位置して、洗濯物の洗濯時に補助的な役割を果たす繊維柔軟剤、漂白剤などの補助洗剤が投入される補助洗剤投入口４７５ｄとが備えられる。
【０３３７】
また、第１の洗剤供給部３７０の場合、第２の洗剤供給部４７０ｄの前方に位置する。第２の洗剤供給部４７０ｄと同様に、洗剤及び補助洗剤を別として供給するために、洗剤投入構造と補助洗剤投入構造とが分離される構造を有する。
【０３３８】
一実施例として、第１の洗剤供給部及び／又は第２の洗剤供給部の場合、タブケース２５０に露出されるように形成されるか、タブケース２５０に備えられるタブカバー２５２又は／及び洗剤投入ドア２５４によって遮蔽可能に備えられてもよい。
【０３３９】
第２の洗剤供給部４７０ｄの洗剤投入口４７１ｄの下部には、投入される液状洗剤又は粉末洗剤が一時貯留される洗剤貯留部４７２ｄが備えられ、第２の洗剤供給部４７０ｄの補助洗剤投入口４７５ｄの下部には、投入される補助洗剤が一時貯留される補助洗剤貯留部４７６ｄが備えられる。
【０３４０】
第２の給水部４５０ｄには、第２のバルブアセンブリ４５２ｄから第１の洗剤供給部３７０に延びる第１のメイン給水管４５９ｄと、第２のバルブアセンブリ４５２ｄから第２の洗剤供給部４７０ｄに延びる第２のメイン給水管４５５ｄと、第２のメイン給水管４５５ｄから分岐して、洗剤貯留部４７２ｄに連結される第２の洗剤水供給ライン４５１ｄと、第２のメイン給水管４５５ｄから分岐して、補助洗剤貯留部４７２ｄに連結される第２の補助洗剤水供給ライン４５３ｄと、第２のメイン給水管４５５ｄから分岐して、第２のタブ４１０に洗濯水を別として供給する第２の水道水供給ライン４５４ｄとを備える。
【０３４１】
第１のメイン給水管４５９ｄの場合、第１の洗剤供給部３７０に洗濯水を供給して、第１の洗剤供給部３７０を通じて、洗剤及び補助洗剤を第１の洗濯部３０の第１のタブ３１０に供給する。
【０３４２】
第２の洗剤水供給ライン４５１ｄ、第２の補助洗剤水供給ライン４５３ｄ、第２の水道水供給ライン４５４ｄの場合、第２のメイン給水管４５５ｄの特定の分岐部４５６ｄから分岐して、それぞれ洗剤貯留部４７２ｄ、補助洗剤貯留部４７６ｄ及び第２のタブ４１０に洗濯水を給水するように備えられてもよい。
【０３４３】
この場合、第２のメイン給水管４５５ｄを通じて、第２の洗剤水供給ライン４５１ｄ、第２の補助洗剤水供給ライン４５３ｄ、第２の水道水供給ライン４５４ｄに同時に洗濯水を供給することができる。一実施例として、第２の洗剤水供給ライン４５１ｄ又は第２の補助洗剤水供給ライン４５３ｄには、第２の水道水供給ラインと独立した給水制御のために、別の洗剤給水バルブ４５１ｄ'及び補助洗剤給水バルブ４５３ｄ'をさらに備えてもよい。
【０３４４】
第２の水道水供給ライン４５４ｄは、第２の洗剤水供給ライン４５１ｄ及び第２の補助洗剤水供給ライン４５３ｄと独立して第２のタブ４１０に洗濯水を給水することができる。この第２の水道水供給ライン４５４ｄの場合、第２のタブ４１０に直接に連結され、第２のタブ４１０に洗濯水を供給することができ、又は、上述した第２のタブ４１０に備えられるタブドア４１３に連結され、第２のタブ４１０の上部から第２のタブ４１０の内部に洗濯水を拡散供給することもできる。
【０３４５】
洗剤投入口４７１ｄの下部には、投入される洗剤が一時貯留される洗剤貯留部４７２ｄが備えられる。洗剤貯留部４７２ｄには、第２のバルブアセンブリ４５２ｄから延びる第２の洗剤水供給ライン４５１ｄが連結される。洗剤貯留部４７２ｄに投入された液状洗剤又は粉末洗剤は、第２の洗剤水供給ライン４５１ｄから供給される洗濯水と混合されて、第２のタブ４１０に供給されることができる。
【０３４６】
洗剤貯留部４７２ｄの下部には、洗剤貯留部４７２ｄにおいて混合された洗剤と洗濯水を第２のタブ４１０に供給する洗剤給水管４７４ｄが備えられる。洗剤給水管４７４ｄは、第２のドラム４３０が回転する時、第２のタブ４１０に振動が伝達されることを防止するように、ベローズ状に形成される。
【０３４７】
洗剤給水管４７４ｄには、洗剤貯留部４７２ｄにおいて混合された洗剤と洗濯水の供給を制御する洗剤水供給バルブ４７３ｄが備えられる。洗剤水供給バルブ４７３ｄは、洗剤給水管４７４ｄと洗剤貯留部４７２ｄとの間に備えられ、洗剤貯留部４７２ｄの洗剤及び洗濯水の供給制御と共に、第２のタブ４１０の洗濯水が洗剤貯留部４７２ｄに逆流することを防止することができる。
【０３４８】
一実施例として、第２のタブ４１０の場合、第２のタブ４１０の内側において回転する第２のドラム４３０の遠心力によって、第２のタブ４１０に連結される洗剤給水管４７４ｄを通じて、洗剤貯留部４７２ｄに洗濯水が逆流する現状が発生する可能性がある。よって、洗剤水供給バルブ４７３ｄは、第２のドラム４３０が回転する時、洗剤給水管４７４ｄを閉鎖して、第２のタブ４１０の洗濯水が遠心力によって、洗剤給水管４７４ｄを通じて逆流することを防止することができる。
【０３４９】
補助洗剤貯留部４７２ｄの下部には、補助洗剤貯留部４７２ｄにおいて混合された補助洗剤（繊維柔軟剤又は補助洗剤など）と洗濯水を第２のタブ４１０に供給する補助洗剤給水管４７４ｄが備えられる。一方、補助洗剤給水管４７４ｄは、第２のドラム４３０が回転する時、第２のタブ４１０に振動が伝達されることを防止するように、ベローズ状に形成されてもよい。
【０３５０】
補助洗剤給水管４７４ｄには、補助洗剤貯留部４７８ｄにおいて混合された補助洗剤（繊維柔軟剤）と洗濯水の供給を制御する補助洗剤水供給バルブ４７７ｄが備えられる。補助洗剤水供給バルブ４７７ｄは、補助洗剤給水管４７４ｄと補助洗剤貯留部４７６ｄとの間に備えられ、補助洗剤貯留部４７６ｄの補助洗剤の供給制御と共に、第２のタブ４１０の洗濯水が補助洗剤貯留部４７６ｄに逆流することを防止することができる。
【０３５１】
一実施例として、第２のタブ４１０の場合、第２のタブ４１０の内側において回転する第２のドラム４３０の遠心力によって、第２のタブ４１０に連結される補助洗剤給水管４７４ｄを通じて、補助洗剤貯留部４７６ｄに洗濯水が逆流することが発生する可能性がある。よって、補助洗剤水供給バルブ４７７ｄは、第２のドラム４３０が回転する時、補助洗剤給水管４７４ｄを閉鎖して、第２のタブ４１０の洗濯水が遠心力によって、補助洗剤給水管４７４ｄを通じて逆流することを防止することができる。
【０３５２】
一実施例として、補助洗剤水供給バルブ４７７ｄは、補助洗剤貯留部４７６ｄの洗剤及び洗濯水の供給制御と共に、第２のタブ４１０の洗濯水が洗剤貯留部４７２ｄに逆流することを防止することができる。
【０３５３】
以下、本発明の第５の実施例による第２の洗剤供給部において、洗剤の供給及び補助洗剤の供給を詳細に説明する。
【０３５４】
先ず、ユーザは、衣類処理装置１０の作動によって、第１の洗剤供給部３７０又は第２の洗剤供給部４７０ｄの洗剤投入口４７１ｄを通じて、液状洗剤又は粉末洗剤などの洗剤を投入して、補助洗剤投入口４７５ｄを通じて、繊維柔軟剤又は漂白剤などの補助洗剤を投入することができる。
【０３５５】
第１の洗剤供給部３７０に投入された洗剤及び補助洗剤の場合、第２の給水部４５０ｄの第１のメイン給水管４５９ｄから供給される洗濯水によって、第１の洗濯部３０の第１のタブ３１０に供給されることができる。
【０３５６】
一方、第２の洗剤供給部４７０ｄの洗剤投入口４７１ｄに投入された洗剤の場合、洗剤貯留部４７２ｄに貯留され、洗剤貯留部４７２ｄに貯留された洗剤は、洗剤給水管４７４ｄに備えられる洗剤水供給バルブ４７３ｄが閉鎖状態を維持することで、第２のタブ４１０に直接に投入されることが防止される。
【０３５７】
第２の洗剤供給部４７０ｄの補助洗剤投入口４７５ｄに投入された補助洗剤の場合、補助洗剤貯留部４７６ｄに貯留され、補助洗剤貯留部４７６ｄに貯留された洗剤は、補助洗剤給水管４７４ｄに備えられる補助洗剤水供給バルブ４７７ｄが閉鎖状態を維持することで、第２のタブ４１０に直接に投入されることが防止される。
【０３５８】
衣類処理装置１０の洗濯行程が進められるにつれて、外部の給水源から洗濯水が供給され、供給される洗濯水は、第２の給水部４５０ｄの第２のバルブアセンブリ４５２ｄの作動によって、第２のメイン給水管４５５ｄに供給され、第２のメイン給水管４５５ｄに供給された洗濯水は、第２のメイン給水管４５５ｄから分岐する第２の洗剤水供給ライン４５１ｄ、第２の補助洗剤水供給ライン４５３ｄ及び第２の水道水供給ライン４５４ｄに洗濯水を供給することができる。
【０３５９】
このとき、第２の洗剤水供給ライン４５１ｄ、第２の補助洗剤水供給ライン４５３ｄに供給される洗濯水の場合、洗剤給水バルブ４５１ｄ'及び補助洗剤給水バルブ４５３ｄ'によって制御され、第２の洗剤水供給ライン４５１ｄ、第２の補助洗剤水供給ライン４５３ｄ及び第２の水道水供給ライン４５４ｄが独立して制御され、洗剤貯留部４７２ｄ、補助洗剤貯留部４７６ｄ及び第２のタブ４１０への給水が独立して制御されることもできる。
【０３６０】
一実施例として、第２の洗剤水供給ライン４５１ｄを通じて、洗剤貯留部４７２ｄに供給される洗濯水は、洗剤貯留部４７２ｄに投入されて、洗剤貯留部４７２ｄに貯留された洗剤と混合される。その後、洗剤貯留部４７２ｄにおいて洗剤と混合された洗濯水は、洗剤給水管４７４ｄに備えられる洗剤水供給バルブ４７３ｄが開放されるにつれて、第２のタブ４１０に供給されることができる。
【０３６１】
一実施例として、第２の補助洗剤給水管４７４ｄを通じて、補助洗剤貯留部４７６ｄに供給される洗濯水は、補助洗剤貯留部４７６ｄに投入されて、補助洗剤貯留部４７６ｄに貯留された補助洗剤と混合される。その後、補助洗剤貯留部４７６ｄにおいて補助洗剤と混合された洗濯水は、補助洗剤給水管４７４ｄに備えられる補助洗剤水供給バルブ４７７ｄが開放されるにつれて、第２のタブ４１０に供給されることができる。
【０３６２】
図１２は、本発明による衣類処理装置において、第２の洗濯部の作動による各バルブの作動を示す表である。第２の給水部４５０ｄと第２の洗剤供給部４７０ｄに備えられる各バルブの作動状態を、図１２を参照して、詳細に説明する。バルブの作動状態を説明するに当って、上述した実施例のうち、図１１によって説明される第５の実施例に基づいて説明する。よって、以下の説明は、上述した図１１を参照して、理解されるべきである。
【０３６３】
図１１乃至図１２に示したように、第２の給水部４５０ａ及び第２の洗剤供給部４７０ａは、第２の洗濯部４０の洗濯行程のうち、洗濯行程、すすぎ行程、脱水行程において、洗剤と補助洗剤を選択的に投入するように構成される。
【０３６４】
即ち、洗剤の場合、主に、洗濯行程において、洗濯物の洗濯効果を高めるために投入され、補助洗剤（例えば、繊維柔軟剤、漂白剤など）の場合は、主に、すすぎ行程において、洗濯物に付加的な効果及び機能を付与するために投入され、脱水行程においては、洗濯水、洗剤、補助洗剤の供給が中止される。よって、第２の洗濯部４０の洗濯行程時の洗剤投入行程、すすぎ行程時の補助洗剤投入行程、及び脱水行程時の作動を一例として説明する。
【０３６５】
先ず、第２の洗濯部４０の洗濯行程時には、洗濯物の洗濯のために洗剤が供給され、補助洗剤の供給は中止される必要がある。よって、洗濯行程時には、第２のバルブアセンブリ４５２ｄの第２の洗剤給水管４７４ｄがオン（ＯＮ又はＯＰＥＮ）され、洗剤貯留部４７２ｄに洗濯水が供給され、それと同時に、洗剤給水管４７４ｄが洗剤水供給バルブ４７３ｄによってオンされ、洗剤貯留部４７２ｄの洗剤が洗濯水と共に第２のタブ４１０に供給される。
【０３６６】
水道水の供給又は洗濯水の供給において、第２のバルブアセンブリ４５２ｄによる第２の洗剤水供給ライン４５１ｄと洗剤水供給バルブ４５１ｄ'による洗剤給水管４７４ｄは、常に、第２のバルブアセンブリ４５２ｄ及び洗剤水供給バルブ４５１ｄ'がオン（ＯＰＥＮ）された状態に維持され、第２の洗剤水供給ライン４５１ｄ及び洗剤給水管４７４ｄを通じて、水道水及び洗濯水が第２のタブ４１０に供給される。
【０３６７】
一方、補助洗剤の供給が不要であるため、第２のバルブアセンブリ４５２ｄによる第２の補助洗剤水供給ライン４５３ｄと補助洗剤水供給バルブ４５３ｄ'による補助洗剤給水管４７８ｄは、洗濯行程の際、常に、オフ（ＣＬＯＳＥ）され、補助洗剤が補助洗剤給水管４７８ｄに供給されることを遮断する。
【０３６８】
第２の洗濯部４０のすすぎ行程時には、洗濯物のすすぎのために、水道水及び補助洗剤が供給される必要があり、よって、すすぎ行程時には、第２のバルブアセンブリ４５２ｄの第２の洗剤給水管４７４ｄ又は／及び第２の水道水供給ライン４５４ｄがオン（ＯＰＥＮ）され、洗剤貯留部４７２ｄ及び第２のタブ４１０に水道水を供給する。同時に、補助洗剤給水管４７８ｄが補助洗剤水供給バルブ４５３ｄ'によってオンされ、補助洗剤貯留部４７６ｄの補助洗剤が洗濯水と共に第２のタブ４１０に供給される。
【０３６９】
即ち、すすぎ行程時には、第２の洗剤水供給ライン４５１ｄ及び洗剤給水管４７４ｄは、水道水の供給のためにオン状態を維持して、第２の補助洗剤水供給ライン４５３ｄ及び補助洗剤給水管４７８ｄは、補助洗剤の供給のためにオン状態を維持する。
【０３７０】
脱水行程、洗濯行程、及びすすぎ行程において、第２のドラム４３０が回転する場合、洗剤給水管４７４ｄに備えられる洗剤水供給バルブ４７３ｄ及び補助洗剤給水管４７８ｄに備えられる補助洗剤供給バルブ４７７ｄは、常にオフ状態を維持する。
【０３７１】
一作動条件において、第２のドラム４３０が回転する場合、遠心力によって第２のタブ４１０に供給された洗濯水が共に回転しながら、洗剤給水管４７４ｄ及び補助洗剤給水管４７８ｄを通じて逆流することを防止するために、洗剤水供給バルブ４７３ｄ及び補助洗剤供給バルブ４７７ｄは、第２のドラム４３０が回転する時にはオフ状態を維持する。
【０３７２】
一実施例として、上述した第２の給水部４５０，４５０ａ，４５０ｂ，４５０ｃ，４５０ｄ、第２の洗剤供給部４７０，４７０ａ，４７０ｂ，４７０ｃ，４７０ｄ、制御部５０の場合、第２のタブ４１０とタブケース２５０の角部との間に形成される空間に位置することができる。
【０３７３】
一実施例として、円筒状に形成される第２のタブ４１０の外周面と四角形状に形成されるタブケース２５０の内周面の角部の場合、第２のタブ４１０とタブケース２５０の内側において最も広い空間を形成して、第２の給水部４５０，４５０ａ，４５０ｂ，４５０ｃ，４５０ｄ、第１の洗剤供給部４７０，４７０ａ，４７０ｂ，４７０ｃ，４７０ｄ、制御部５０の設置空間を十分に確保することができる。
【０３７４】
一実施例として、第２の洗剤供給部４７０，４７０ａ，４７０ｂ，４７０ｃ，４７０ｄの場合、タブケース２５０に備えられる洗剤投入ドア２５４の開閉によって露出又は遮蔽されると説明したが、特に洗剤投入ドア２５４無しで、常に露出された状態として備えられてもよい。他の実施例として、第２の洗剤供給部４７０，４７０ａ，４７０ｂ，４７０ｃ，４７０ｄがタブケース２５０に形成されるタブカバー２５２の下部に位置して、タブカバー２５２の開閉によって、洗濯物が投入される第２の投入口２５３と共に露出又は遮蔽されるように備えられてもよい。
【０３７５】
請求の範囲の思想及び範囲内で様々な変形が可能であることが理解されるであろう。例えば、開示された技術のステップが異なる順序に行われるか、及び／又は開示されたシステムにおける構成要素が他の方式で結合されるか、及び／又は他の構成要素に取り替えられるか補完される場合、有利な結果が依然として達成できる。よって、他の具現例は、以下の請求の範囲内にある。
【０３７６】
種々の実施形態が本発明を実施するための最良の形態として説明された。
【図１】
2020503123.tif 000003
【図２】
2020503123.tif 000004
【図３】
2020503123.tif 000005
【図４】
2020503123.tif 000006
【図５】
2020503123.tif 000007
【図６】
2020503123.tif 000008
【図７】
2020503123.tif 000009
【図８】
2020503123.tif 000010
【図９】
2020503123.tif 000011
【図１０】
2020503123.tif 000012
【図１１】
2020503123.tif 000013
【図１２】
2020503123.tif 000014
【国際調査報告】
2020503123.tif 000015
2020503123.tif 000016